(57)【特許請求の範囲】
【請求項１】
プロゲステロンと特異的な結合性を有する第一の結合物質で修飾された、標識を有する第一の粒子と、
プロゲステロン以外の抗原に対する抗体で修飾された、標識を有しない第二の粒子と、
前記第一の粒子及び前記第二の粒子を流すための流路と、
前記第一の結合物質に対して結合性を有する物質を有する基板と、
を含むプロゲステロン測定キットであって、
前記の標識を有する第一の粒子は、下記式（１）で示される少なくとも一種の化合物と粒子とを含有し、
前記第一の粒子の平均粒子径が５０〜２５０ｎｍであり、前記第二の粒子の平均粒子径が７０〜５００ｎｍであり、かつ前記第一の粒子の平均粒子径より前記第二の粒子の平均粒子径が大きい、
キット。
【化１】
0006936383.tif 000052
式中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１〜Ｒ１５のうち少なくとも３つは水素原子以外の原子又は基を表す。Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。Ａｒ１及びＡｒ２はそれぞれ独立に、アリール基又はヘテロ環基を表し、これらは置換基を有していてもよい。Ｌ１及びＬ２はそれぞれ独立に、式（Ｌ−１）〜式（Ｌ−４）の何れかを表す。
【化２】
0006936383.tif 000053
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。
【請求項２】
前記第一の粒子及び前記第二の粒子がラテックス粒子である、請求項１に記載のキット。
【請求項３】
前記の標識を有する第一の粒子が、少なくとも一種のエネルギードナー化合物と、少なくとも一種のエネルギーアクセプター化合物と、粒子とを含有する発光性粒子であって、前記エネルギードナー化合物及び前記エネルギーアクセプター化合物の少なくとも一種が、前記式（１）で示される化合物である、請求項１又は２に記載のキット。
【請求項４】
前記エネルギードナー化合物として、少なくとも一種の前記式（１）で示される化合物を含有し、前記エネルギーアクセプター化合物として、少なくとも一種の前記式（１）で示される化合物を含有する、請求項３に記載のキット。
【請求項５】
エネルギードナー化合物とエネルギーアクセプター化合物のモル比が１：１０〜１０：１である、請求項３又は４に記載のキット。
【請求項６】
前記第一の粒子に対する前記第二の粒子の質量比が１〜２０である、請求項１から５の何れか一項に記載のキット。
【請求項７】
プロゲステロンと特異的な結合性を有する第一の結合物質が抗体である、請求項１から６の何れか一項に記載のキット。
【請求項８】
（ｉ）（ａ）プロゲステロンと特異的な結合性を有する第一の結合物質で修飾された、標識を有する第一の粒子と、
（ｂ）プロゲステロン以外の抗原に対する抗体で修飾された、標識を有しない第二の粒子と、
（ｃ）プロゲステロンを含む被検試料と、
を混合して、混合物を得る工程と、
（ｉｉ）前記工程（ｉ）で得た混合物を、基板上に適用する工程と、
（ｉｉｉ）前記第一の結合物質に対して結合性を有する物質を有する、前記基板上の反応部位において、前記第一の結合物質を捕捉する工程と、
（ｉｖ）前記反応部位上に捕捉された前記第一の結合物質で修飾された、標識を有する第一の粒子を検出する工程と、
を含むプロゲステロンの測定方法であって、
前記の標識を有する第一の粒子は、下記式（１）で示される少なくとも一種の化合物と粒子とを含有し、
前記第一の粒子の平均粒子径が５０〜２５０ｎｍであり、前記第二の粒子の平均粒子径が７０〜５００ｎｍであり、かつ前記第一の粒子の平均粒子径より前記第二の粒子の平均粒子径が大きい、
プロゲステロンの測定方法。
【化３】
0006936383.tif 000054
式中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１〜Ｒ１５のうち少なくとも３つは水素原子以外の原子又は基を表す。Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。Ａｒ１及びＡｒ２はそれぞれ独立に、アリール基又はヘテロ環基を表し、これらは置換基を有していてもよい。Ｌ１及びＬ２はそれぞれ独立に、式（Ｌ−１）〜式（Ｌ−４）の何れかを表す。
【化４】
0006936383.tif 000055
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。
【請求項９】
前記第一の粒子及び前記第二の粒子がラテックス粒子である、請求項８に記載の方法。
【請求項１０】
前記の標識を有する第一の粒子が、少なくとも一種のエネルギードナー化合物と、少なくとも一種のエネルギーアクセプター化合物と、粒子とを含有する発光性粒子であって、前記エネルギードナー化合物及び前記エネルギーアクセプター化合物の少なくとも一種が、前記式（１）で示される化合物である、請求項８又は９に記載の方法。
【請求項１１】
前記エネルギードナー化合物として、少なくとも一種の前記式（１）で示される化合物を含有し、前記エネルギーアクセプター化合物として、少なくとも一種の前記式（１）で示される化合物を含有する、請求項１０に記載の方法。
【請求項１２】
前記第一の粒子に対する前記第二の粒子の質量比が１〜２０である、請求項８から１１の何れか一項に記載の方法。
【請求項１３】
工程（ｉｖ）において、前記反応部位上に捕捉された前記第一の結合物質で修飾された、標識を有する第一の粒子を表面プラズモン蛍光法により検出する、請求項８から１２の何れか一項に記載の方法。
【請求項１４】
（ａ）プロゲステロンと特異的な結合性を有する第一の結合物質で修飾された、標識を有する第一の粒子と、（ｂ）プロゲステロン以外の抗原に対する抗体で修飾された、標識を有しない第二の粒子とを含む、プロゲステロン測定試薬であって、
前記の標識を有する第一の粒子は、下記式（１）で示される少なくとも一種の化合物と粒子とを含有し、
前記第一の粒子の平均粒子径が５０〜２５０ｎｍであり、前記第二の粒子の平均粒子径が７０〜５００ｎｍであり、かつ前記第一の粒子の平均粒子径より前記第二の粒子の平均粒子径が大きい、
プロゲステロン測定試薬。
【化５】
0006936383.tif 000056
式中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１〜Ｒ１５のうち少なくとも３つは水素原子以外の原子又は基を表す。Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。Ａｒ１及びＡｒ２はそれぞれ独立に、アリール基又はヘテロ環基を表し、これらは置換基を有していてもよい。Ｌ１及びＬ２はそれぞれ独立に、式（Ｌ−１）〜式（Ｌ−４）の何れかを表す。
【化６】
0006936383.tif 000057
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。
【請求項１５】
前記式（１）で示される化合物が、下記式（３）で示される化合物である、請求項１４に記載のプロゲステロン測定試薬。
【化７】
0006936383.tif 000058
式中、Ｒ１１、Ｒ１２、Ｒ１４、Ｒ１５、Ｘ１、Ｘ２、Ａｒ１、Ａｒ２、Ｌ１及びＬ２は、式（１）における定義と同義であり、但し、Ｒ１１、Ｒ１２、Ｒ１４及びＲ１５の少なくとも２つは水素原子以外の原子又は基である。Ｒ３１〜Ｒ３５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ３１、Ｒ３２、Ｒ３４及びＲ３５のいずれか一つは２原子以上からなる基である。
【請求項１６】
前記式（１）で示される化合物が、下記式（４）で示される化合物である、請求項１４に記載のプロゲステロン測定試薬。
【化８】
0006936383.tif 000059
式中、Ｒ１２、Ｒ１３、Ｒ１４、Ｘ１、Ｘ２、Ａｒ１、Ａｒ２、Ｌ１及びＬ２は、式（１）における定義と同義であり、但し、Ｒ１２、Ｒ１３及びＲ１４の少なくとも１つは水素原子以外の原子又は基である。Ｒ４１及びＲ４２はそれぞれ独立に、アリール基、ヘテロ環基、エテニル基、又はエチニル基を表し、これらは置換基を有していてもよい。
【請求項１７】
前記式（１）で示される化合物が、下記式（５）で示される化合物である、請求項１４に記載のプロゲステロン測定試薬。
【化９】
0006936383.tif 000060
式中、Ｒ１１〜Ｒ１５、Ｘ１、Ｘ２、Ｌ１及びＬ２は、式（１）における定義と同義である。Ｒ５１及びＲ５２はそれぞれ独立に、アルキル基、アリール基、ヘテロアリール基、アミノ基、アシル基、アルコキシ基、アリールオキシ基、アルキルチオ基、又はアリールチオ基を表し、これらは置換基を有していてもよい。Ｑ１及びＱ２はそれぞれ独立に、芳香族炭化水素環又は芳香族ヘテロ環を表し、これらは置換基を有していてもよい。
【請求項１８】
前記第一の粒子に対する前記第二の粒子の質量比が１〜２０である、請求項１４から１７の何れか一項に記載のプロゲステロン測定試薬。
【請求項１９】
前記プロゲステロンと特異的な結合性を有する第一の結合物質が抗体である、請求項１４から１８の何れか一項に記載のプロゲステロン測定試薬。
【請求項２０】
前記標識を有する第一の粒子が、蛍光ラテックス粒子であり、前記第二の粒子がラテックス粒子である、請求項１４から１９の何れか一項に記載のプロゲステロン測定試薬。
【発明の詳細な説明】
【技術分野】
【０００１】
本発明は、プロゲステロン測定キット、プロゲステロンの測定方法およびプロゲステロン測定試薬に関する。
【背景技術】
【０００２】
タンパク質、酵素又は無機化合物などを定量するための高感度かつ容易な測定法として蛍光検出法が広く用いられている。蛍光検出法は、特定波長の光により励起されて蛍光を発する測定対象物質を含むと考えられる試料に上記特定波長の励起光を照射した際に発する蛍光を検出することによって測定対象物質の存在を確認する方法である。測定対象物質が蛍光体でない場合には、例えば、測定対象物質と特異的に結合する物質を蛍光色素で標識した物質を、試料に接触させ、その後上記と同様にして、励起光を照射した際に発する蛍光を検出することにより、測定対象物質の存在を確認することができる。【０００３】
上記のような蛍光検出法において、微量に存在する測定対象物質を検出するための感度を向上させるため、プラズモン共鳴による電場増強の効果を利用する方法が知られている。この方法では、プラズモン共鳴を生じさせるため、透明な支持体上の所定領域に金属層を設けたセンサチップを用意し、支持体と金属層との界面に対して支持体の金属層形成面と反対の面側から、全反射角以上の所定の角度で励起光を入射させる。かかる励起光の照射により金属層に表面プラズモンが発生するが、この表面プラズモンの発生による電場増強作用によって、蛍光を増強させることによりシグナル／ノイズ比（Ｓ／Ｎ比）が向上し高感度な測定が可能となる。表面プラズモン励起による蛍光検出法（以下、「ＳＰＦ法」ともいう）は、落射励起による蛍光検出法（落射蛍光法とも称する）に対して、信号増強度が約１０倍得られ、高感度に測定することができる。【０００４】
特許文献１には、好ましい励起ピークを有する初期供与体染料と、好ましい発光ピークを有する最終受容体染料とをポリマー微小粒子中に配合させることにより製造される蛍光微小粒子が記載されている。特許文献１では、上記染料としてポリアザインダセン染料を使用することが記載されている。【０００５】
非特許文献１には、新規なジスチリルＢＯＤＩＰＹ（登録商標）（boron-dipyrrometheneの略称である）染料を設計及び合成したことが記載され、合成したジスチリルＢＯＤＩＰＹ（登録商標）染料について、クロロメタン溶液中での吸収及び発光スペクトルが分析されている。【０００６】
また、免疫測定方法では、被検物質を含む陽性となる被検試料だけでなく、被検物質を含まない陰性の被検試料に対しても反応し、陽性となる被検試料が存在し、偽陽性を示す問題が従来から認識されている。このような擬陽性を示す原因は明確にはなっていないが、血清中に含まれる何らかの因子が存在して非特異反応を起こすことが原因の一つではないかと考えられている。【０００７】
非特異反応を抑制する技術として、特許文献２には、免疫学的測定方法、特に、凝集を利用した免疫学的測定方法において、０．３〜２．０μｍの感作粒子の非特異的免疫反応を阻止するために、非特異的免疫反応の原因物質と反応性を有する物質を結合した０．２μｍ以下の超微粒子を使用することが記載されている。特許文献３には、０．４μｍ以上の感作粒子を用いた免疫凝集反応により被検物質を検出する方法において、ブロッキングに使用する粒子として０．０１μｍ〜０．５μｍの不溶性担体粒子を用いることが記載されている。また、特許文献４には、非特異反応の抑制を目的として、特異的に反応する粒子よりも小さい粒子に非測定物質と免疫学的に反応しない抗体、又は抗原を固定したものを添加する方法が記載されている。さらに、特許文献５には、被測定物質に対して免疫学的に反応する抗体あるいは抗原を平均粒子径０．０５〜０．５μｍの担体に担持した免疫測定粒子を使用する免疫測定方法に用いられる非特異反応抑制剤であって、被測定物質に対して免疫学的に反応しない抗体又は抗原を有機溶媒存在下で担持した不溶性担体からなり、不溶性担体の平均粒子径が担体の平均粒子径よりも小さいことを特徴とする非特異反応抑制剤が記載されている。特許文献６には、蛍光分光技術を使用した免疫検出方法において、外径１μｍ以下の粒子により非特異反応の影響を抑止することが記載されている。【０００８】
特許文献７には、誘電体プレートの一面に、誘電体プレートに隣接する金属層を含む積層構造からなるセンサ部を備えるセンサチップを用いて被検出物質の量を検出する検出方法が記載されている。具体的には、センサ部に試料を接触させることにより、試料に含有される被検出物質の量に応じた量の、蛍光標識と蛍光標識に標識された結合物質とからなる蛍光標識結合物質を、センサ部上に結合させ、センサ部に励起光を照射することにより、センサ部上に増強した光電場を発生せしめ、増強した光電場により、蛍光標識を励起し、励起に起因して生じる光の量に基づいて、被検出物質の量が検出される。特許文献７においては、蛍光標識として、複数の第１の蛍光色素分子と、複数の第１の蛍光色素分子から生じる蛍光を透過する透光材料からなりかつ複数の第１の蛍光色素分子を包含する第１の粒子とから構成される蛍光物質を用いている。また、センサ部に対する蛍光標識結合物質の非特異的吸着性により蛍光標識結合物質がセンサ部に吸着することを防ぐためのブロッキング剤として、第１の蛍光色素分子を含まずかつ結合物質の特異的結合性を有さないブロッキング物質であって、蛍光標識結合物質の非特異的吸着性と同等の非特異的吸着性を有するブロッキング物質を用いている。【０００９】
特許文献８には、粒子サイズを規定した乾燥粒子を用いて非特異吸着を抑制する免疫測定法が開示されている。【００１０】
特許文献９には、黄体ホルモンであるプロゲステロン測定の初期妊娠テストにおける重要性に関して記載されている。プロゲステロン測定により、様々な哺乳動物種における排卵サイクル、発情期、妊娠又は繁殖失調に関し結論を出すことができる。
【先行技術文献】
【特許文献】
【００１１】
【特許文献１】特許第３４４２７７７号公報
【特許文献２】特開昭６０−２５６０５７号公報
【特許文献３】特開２０００−２２１１９６号公報
【特許文献４】特開平１１−３３７５５１号公報
【特許文献５】特開２００７−１２７４３８号公報
【特許文献６】特開２０１０−１９５５３号公報
【特許文献７】特開２０１０−１１２７４８号公報
【特許文献８】特開２０１５−０７２２４９号公報
【特許文献９】特表平８-５０３５４７号公報
【非特許文献】
【００１２】
【非特許文献１】Ｏｌｉｖｉｅｒ  Ｇａｌａｎｇａｕ  ｅｔ  ａｌ．，Ｏｒｇ．Ｂｉｏｍｏｌ．Ｃｈｅｍ．，２０１０，８，４５４６−４５５３
【発明の概要】
【発明が解決しようとする課題】
【００１３】
上記の通り、簡易的な測定方法で高感度に測定が可能な方法としてはＳＰＦ法が知られているが、非常に微量な測定対象物質の測定に対しては十分に満足のいくものではなかった。検出法の中で、プロゲステロンのように抗体でサンドイッチできないような低分子を測定する競合法においては、測定対象物質の濃度が低い領域の検出感度を上げるためには反応系中の蛍光標識濃度を低く抑える必要があるが、その場合、測定対象物質の高濃度域側における蛍光強度が不足し、高濃度域では、誤差が非常に大きくなるため測定対象物質が精度よく測定できない問題があった。【００１４】
また、特許文献２から６に記載のように、試料中に存在する非特異的免疫反応原因物質による偽陽性が問題となる特定の試料があり、非特異的免疫反応原因物質と相互作用する物質を付与した微粒子を用いて、偽陽性の問題を回避することが開示されているが、特許文献２、３、４及び５に記載の方法では、凝集法による測定は低感度であり非常に微量な測定対象物質の検出には使用できない問題があった。また、特許文献２に開示された免疫測定法は、洗浄工程や、遠心分離操作が必要であり、簡便な測定方法ではないという欠点を有していた。【００１５】
特許文献６には、蛍光分光技術を使用した免疫検出方法において、外径１μｍ以下の粒子により非特異反応の影響を抑止することが記載されているが、非常に簡易な測定ではなかった。また、特許文献７及び８は共に、流路を用いた簡易的な免疫測定法を開示し、蛍光法を用いた測定方法として検体を測定しているが、測定対象物質の濃度が低い領域の検出感度を上げる技術に関しては開示していない。【００１６】
更に感度を上げて微量の検出物質を検出可能とすることで、非特異吸着による偽陽性の問題に限らず、ノイズも増加してしまうという問題がある。【００１７】
本発明は、生体試料中のプロゲステロンの測定において、非特異吸着による偽陽性の問題を防止し、発生するノイズの増加を抑え、低濃度から高濃度にわたる広範囲の濃度域においてプロゲステロンの高精度の測定を実現することができるキット、方法及び試薬を提供することを解決すべき課題とした。
【課題を解決するための手段】
【００１８】
本発明者らは上記課題を解決するために、プロゲステロンと特異的な結合性を有する第一の結合物質で修飾された、標識を有する第一の粒子と、上記プロゲステロンと特異的な結合性を有しない第二の結合物質で修飾された、標識を有しない第二の粒子と、上記第一の粒子及び上記第二の粒子を流すための流路と、上記第一の結合物質に対して結合性を有する物質を有する基板と、を含むプロゲステロンを測定するためのキットの構成について鋭意検討した。その結果、標識を有する第一の粒子として、６８０ｎｍ以上という長波長領域に発光極大波長を有し、かつ高い量子収率を示す標識粒子を用い、さらに第一の粒子の平均粒子径が５０〜２５０ｎｍであり、第二の粒子の平均粒子径が７０〜５００ｎｍであり、かつ第一の粒子の平均粒子径より第二の粒子の平均粒子径が大きいという条件を満たすことにより、上記課題を解決できることを見出した。本発明はこれらの知見に基づいて完成したものである。【００１９】
即ち、本発明によれば、以下の発明が提供される。
［１］  プロゲステロンと特異的な結合性を有する第一の結合物質で修飾された、標識を有する第一の粒子と、
プロゲステロンと特異的な結合性を有しない第二の結合物質で修飾された、標識を有しない第二の粒子と、
上記第一の粒子及び上記第二の粒子を流すための流路と、
上記第一の結合物質に対して結合性を有する物質を有する基板と、
を含むプロゲステロン測定キットであって、
上記の標識を有する第一の粒子は、下記式（１）で示される少なくとも一種の化合物と粒子とを含有し、
上記第一の粒子の平均粒子径が５０〜２５０ｎｍであり、上記第二の粒子の平均粒子径が７０〜５００ｎｍであり、かつ上記第一の粒子の平均粒子径より上記第二の粒子の平均粒子径が大きい、
キット。
【化１】
0006936383.tif 000002
式中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１〜Ｒ１５のうち少なくとも３つは水素原子以外の原子又は基を表す。Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。Ａｒ１及びＡｒ２はそれぞれ独立に、アリール基又はヘテロ環基を表し、これらは置換基を有していてもよい。Ｌ１及びＬ２はそれぞれ独立に、式（Ｌ−１）〜式（Ｌ−４）の何れかを表す。
【化２】
0006936383.tif 000003
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。【００２０】
［２］  上記第一の粒子及び上記第二の粒子がラテックス粒子である、［１］に記載のキット。
［３］  上記の標識を有する第一の粒子が、少なくとも一種のエネルギードナー化合物と、少なくとも一種のエネルギーアクセプター化合物と、粒子とを含有する発光性粒子であって、上記エネルギードナー化合物及び上記エネルギーアクセプター化合物の少なくとも一種が、上記式（１）で示される化合物である、［１］又は［２］に記載のキット。
［４］  上記エネルギードナー化合物として、少なくとも一種の上記式（１）で示される化合物を含有し、上記エネルギーアクセプター化合物として、少なくとも一種の上記式（１）で示される化合物を含有する、［３］に記載のキット。
［５］  エネルギードナー化合物とエネルギーアクセプター化合物のモル比が１：１０〜１０：１である、［３］又は［４］に記載のキット。
［６］  上記第一の粒子に対する上記第二の粒子の質量比が１〜２０である、［１］から［５］の何れか一に記載のキット。
［７］  プロゲステロンと特異的な結合性を有する第一の結合物質が抗体である、［１］から［６］の何れか一に記載のキット。【００２１】
［８］  （ｉ）（ａ）プロゲステロンと特異的な結合性を有する第一の結合物質で修飾された、標識を有する第一の粒子と、
（ｂ）プロゲステロンと特異的な結合性を有しない第二の結合物質で修飾された、標識を有しない第二の粒子と、
（ｃ）プロゲステロンを含む被検試料と、
を混合して、混合物を得る工程と、
（ｉｉ）上記工程（ｉ）で得た混合物を、基板上に適用する工程と、
（ｉｉｉ）上記第一の結合物質に対して結合性を有する物質を有する、上記基板上の反応部位において、上記第一の結合物質を捕捉する工程と、
（ｉｖ）上記反応部位上に捕捉された上記第一の結合物質で修飾された、標識を有する第一の粒子を検出する工程と、
を含むプロゲステロンの測定方法であって、
上記の標識を有する第一の粒子は、下記式（１）で示される少なくとも一種の化合物と粒子とを含有し、
上記第一の粒子の平均粒子径が５０〜２５０ｎｍであり、上記第二の粒子の平均粒子径が７０〜５００ｎｍであり、かつ上記第一の粒子の平均粒子径より上記第二の粒子の平均粒子径が大きい、
プロゲステロンの測定方法。
【化３】
0006936383.tif 000004
式中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１〜Ｒ１５のうち少なくとも３つは水素原子以外の原子又は基を表す。Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。Ａｒ１及びＡｒ２はそれぞれ独立に、アリール基又はヘテロ環基を表し、これらは置換基を有していてもよい。Ｌ１及びＬ２はそれぞれ独立に、式（Ｌ−１）〜式（Ｌ−４）の何れかを表す。
【化４】
0006936383.tif 000005
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。【００２２】
［９］  上記第一の粒子及び上記第二の粒子がラテックス粒子である、［８］に記載の方法。
［１０］  上記の標識を有する第一の粒子が、少なくとも一種のエネルギードナー化合物と、少なくとも一種のエネルギーアクセプター化合物と、粒子とを含有する発光性粒子であって、上記エネルギードナー化合物及び上記エネルギーアクセプター化合物の少なくとも一種が、上記式（１）で示される化合物である、［８］又は［９］に記載の方法。
［１１］  上記エネルギードナー化合物として、少なくとも一種の上記式（１）で示される化合物を含有し、上記エネルギーアクセプター化合物として、少なくとも一種の上記式（１）で示される化合物を含有する、［１０］に記載の方法。
［１２］  上記第一の粒子に対する上記第二の粒子の質量比が１〜２０である、［８］から［１１］の何れか一に記載の方法。
［１３］  工程（ｉｖ）において、上記反応部位上に捕捉された上記第一の結合物質で修飾された、標識を有する第一の粒子を表面プラズモン蛍光法により検出する、［８］から［１２］の何れか一に記載の方法。【００２３】
［１４］  （ａ）プロゲステロンと特異的な結合性を有する第一の結合物質で修飾された、標識を有する第一の粒子と、（ｂ）プロゲステロンと特異的な結合性を有しない第二の結合物質で修飾された、標識を有しない第二の粒子とを含む、プロゲステロン測定試薬であって、
上記の標識を有する第一の粒子は、下記式（１）で示される少なくとも一種の化合物と粒子とを含有し、
上記第一の粒子の平均粒子径が５０〜２５０ｎｍであり、上記第二の粒子の平均粒子径が７０〜５００ｎｍであり、かつ上記第一の粒子の平均粒子径より上記第二の粒子の平均粒子径が大きい、
プロゲステロン測定試薬。
【化５】
0006936383.tif 000006
式中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１〜Ｒ１５のうち少なくとも３つは水素原子以外の原子又は基を表す。Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。Ａｒ１及びＡｒ２はそれぞれ独立に、アリール基又はヘテロ環基を表し、これらは置換基を有していてもよい。Ｌ１及びＬ２はそれぞれ独立に、式（Ｌ−１）〜式（Ｌ−４）の何れかを表す。
【化６】
0006936383.tif 000007
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。【００２４】
［１５］  上記式（１）で示される化合物が、下記式（３）で示される化合物である、［１４］に記載のプロゲステロン測定試薬。
【化７】
0006936383.tif 000008
式中、Ｒ１１、Ｒ１２、Ｒ１４、Ｒ１５、Ｘ１、Ｘ２、Ａｒ１、Ａｒ２、Ｌ１及びＬ２は、式（１）における定義と同義であり、但し、Ｒ１１、Ｒ１２、Ｒ１４及びＲ１５の少なくとも２つは水素原子以外の原子又は基である。Ｒ３１〜Ｒ３５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ３１、Ｒ３２、Ｒ３４及びＲ３５のいずれか一つは２原子以上からなる基である。【００２５】
［１６］  上記式（１）で示される化合物が、下記式（４）で示される化合物である、［１４］に記載のプロゲステロン測定試薬。
【化８】
0006936383.tif 000009
式中、Ｒ１２、Ｒ１３、Ｒ１４、Ｘ１、Ｘ２、Ａｒ１、Ａｒ２、Ｌ１及びＬ２は、式（１）における定義と同義であり、但し、Ｒ１２、Ｒ１３及びＲ１４の少なくとも１つは水素原子以外の原子又は基である。Ｒ４１及びＲ４２はそれぞれ独立に、アリール基、ヘテロ環基、エテニル基、又はエチニル基を表し、これらは置換基を有していてもよい。【００２６】
［１７］  上記式（１）で示される化合物が、下記式（５）で示される化合物である、［１４］に記載のプロゲステロン測定試薬。
【化９】
0006936383.tif 000010
式中、Ｒ１１〜Ｒ１５、Ｘ１、Ｘ２、Ｌ１及びＬ２は、式（１）における定義と同義である。Ｒ５１及びＲ５２はそれぞれ独立に、アルキル基、アリール基、ヘテロアリール基、アミノ基、アシル基、アルコキシ基、アリールオキシ基、アルキルチオ基、又はアリールチオ基を表し、これらは置換基を有していてもよい。Ｑ１及びＱ２はそれぞれ独立に、芳香族炭化水素環又は芳香族ヘテロ環を表し、これらは置換基を有していてもよい。【００２７】
［１８］  上記第一の粒子に対する上記第二の粒子の質量比が１〜２０である、［１４］から［１７］の何れか一に記載のプロゲステロン測定試薬。
［１９］  上記プロゲステロンと特異的な結合性を有する第一の結合物質が抗体である、［１４］から［１８］の何れか一に記載のプロゲステロン測定試薬。
［２０］  上記標識を有する第一の粒子が、蛍光ラテックス粒子であり、上記第二の粒子がラテックス粒子である、［１４］から［１９］の何れか一に記載のプロゲステロン測定試薬。
【発明の効果】
【００２８】
本発明のプロゲステロン測定キット、プロゲステロンの測定方法およびプロゲステロン測定試薬によれば、非特異吸着による偽陽性の問題を防止し、発生するノイズの増加を抑え、低濃度から高濃度にわたる広範囲の濃度域においてプロゲステロンの高精度の測定を実現することができる。
【図面の簡単な説明】
【００２９】
【図１】図１は、センサチップの概略図を示す。
【図２】図２は、センサチップの分解図を示す。
【発明を実施するための形態】
【００３０】
以下、本発明の実施の形態について詳細に説明する。
本明細書において「〜」を用いて示された数値範囲は、「〜」の前後に記載される数値をそれぞれ最小値および最大値として含む範囲を意味する。
【００３１】
［プロゲステロン測定キット］
本発明によるプロゲステロン測定キットは、
プロゲステロンと特異的な結合性を有する第一の結合物質で修飾された、標識を有する第一の粒子と、
プロゲステロンと特異的な結合性を有しない第二の結合物質で修飾された、標識を有しない第二の粒子と、
上記第一の粒子及び上記第二の粒子を流すための流路と、
上記第一の結合物質に対して結合性を有する物質を有する基板と、
を含むプロゲステロン測定キットであって、
上記の標識を有する第一の粒子は、本明細書で規定する式（１）で示される少なくとも一種の化合物と粒子とを含有し、
上記第一の粒子の平均粒子径が５０〜２５０ｎｍであり、上記第二の粒子の平均粒子径が７０〜５００ｎｍであり、かつ上記第一の粒子の平均粒子径より上記第二の粒子の平均粒子径が大きい、
キットである。
【００３２】
（生体試料）
本発明では、生体試料中のプロゲステロンを測定することができる。
生体試料としては、プロゲステロンを含む可能性のある試料である限り、特に限定されるものではなく、例えば、生物学的試料、特には動物（例えば、ヒト、イヌ、ネコ、ウマなど）の体液（例えば、血液、血清、血漿、髄液、涙液、汗、尿、膿、鼻水、又は喀痰）若しくは排泄物（例えば、糞便）、臓器、組織、粘膜や皮膚などを挙げることができる。
【００３３】
（プロゲステロン）
プロゲステロンは、卵巣と胎盤から分泌され、黄体機能や妊娠に関係する性ホルモンである。月経の周期異常、不妊症の診断に利用される。また、犬の交配時期、猫の卵巣遺残確認にも使用される。
【００３４】
（粒子）
本発明における粒子（第一の粒子及び第二の粒子）の材質及び形態は特に限定されず、例えば、ポリスチレンビーズなどの有機高分子粒子、又はガラスビーズ等の無機粒子を用いることができる。粒子の材質の具体例としては、スチレン、メタクリル酸、グリシジル（メタ）アクリレート、ブタジエン、塩化ビニル、酢酸ビニルアクリレート、メチルメタクリレート、エチルメタクリレート、フェニルメタクリレート、又はブチルメタクリレートなどのモノマーを重合させたホモポリマー、並びに２種以上のモノマーを重合させたコポリマーなどが挙げられ、上記のホモポリマー又はコポリマーを均一に懸濁させたラテックスでもよい。また、粒子としては、その他の有機高分子粉末、無機物質粉末、微生物、血球、細胞膜片、リポソーム、マイクロカプセルなどが挙げられる。第一の粒子及び第二の粒子としては、ラテックス粒子が好ましい。
【００３５】
ラテックス粒子を使用する場合、ラテックスの材質の具体例としては、ポリスチレン、スチレン−アクリル酸共重合体、スチレン−メタクリル酸共重合体、スチレン−グリシジル（メタ）アクリレート共重合体、スチレン−スチレンスルホン酸塩共重合体、メタクリル酸重合体、アクリル酸重合体、アクリロニトリル−ブタジエン−スチレン共重合体、塩化ビニル−アクリル酸エステル共重合体、ポリ酢酸ビニルアクリレートなどが挙げられる。ラテックスとしては、単量体としてスチレンを少なくとも含む共重合体が好ましく、スチレンと、アクリル酸又はメタクリル酸との共重合体が特に好ましい。ラテックスの作製方法は特に限定されず、任意の重合方法により作製することができる。但し、本発明の発光性粒子に抗体を標識して使用する場合には、界面活性剤が存在すると抗体固定化が困難となるため、ラテックスの作製には、無乳化剤乳化重合、即ち界面活性剤などの乳化剤を用いない乳化重合が好ましい。
【００３６】
（第一の結合物質）
本発明で用いる第一の結合物質は、プロゲステロンと特異的な結合性を有する物質である。第一の結合物質としては、抗体を使用できるが、これに限定されるものではない。好ましくは、第一の結合物質は抗体である。第一の結合物質が抗体である場合は、例えば、そのプロゲステロンによって免疫された動物の血清から調製する抗血清や、抗血清から精製された免疫グロブリン画分、プロゲステロンによって免疫された動物の脾臓細胞を用いる細胞融合によって得られるモノクローナル抗体、あるいは、それらの断片［例えば、Ｆ（ａｂ’）２、Ｆａｂ、Ｆａｂ’、又はＦｖ］などを用いることができる。これらの抗体の調製は、常法により行なうことができる。さらに、その抗体がキメラ抗体などの場合のように、修飾を加えられたものでもよいし、また市販の抗体でも、動物血清又は培養上清から公知の方法により調製した抗体でも使用可能である。
【００３７】
本発明においては、第一の結合物質としては、プロゲステロンと特異的な結合性を有する（好ましくは、プロゲステロンを特異的に認識する）抗プロゲステロン抗体を使用することが好ましい。
【００３８】
抗プロゲステロン抗体の作製方法の一つを例に挙げて以下に説明する。
プロゲステロンと、牛血清アルブミン（Ｂｏｖｉｎｅ  Ｓｅｒｕｍ  Ａｌｂｕｍｉｎ、以下ＢＳＡと略す）と、縮合剤を混合してプロゲステロン−ＢＳＡ結合体を作製することができる。結合体をマウス免疫感作抗原として用いて、数回、マウス背部皮下に免疫する。この場合、完全アジュバント（Ｃｏｍｐｌｅｔｅ  Ｆｒｅｕｎｄ‘ｓ  Ａｄｊｕｖａｎｔ：ＣＦＡ）、および／又は不完全アジュバント（Ｉｎｃｏｍｐｌｅｔｅ  Ｆｒｅｕｎｄ‘ｓ  Ａｄｊｕｖａｎｔ：ＩＦＡ）を適宜選択して免疫感作抗原と混合して使用することができる。完全アジュバントとは、免疫を刺激する物質であって、パラフィンとアラセルの混合物である。不完全アジュバントとは、完全アジュバントに死滅したミコバクテリア又は結核菌の死菌を加え、抗原性をさらに増強させたものである。数週間で数回、適宜免疫感作を行った後にマウスから採血し抗体価の測定を実施する。抗体価の十分な上昇が認められた場合に腹腔内に抗原を投与し、数日後に脾臓を摘出する。こうして免疫マウスより摘出した脾臓細胞を、変異株骨髄腫細胞（ミエローマ）と融合させることで、抗体産生能力を備えた融合細胞を作製することができる。この融合細胞の中から目的とする抗原に対する抗体産生細胞のみを選択し、さらにその細胞株だけを増殖するために限界希釈を行う。希釈後の細胞の培養（クローニング）を行うことができる。このようにして得られる融合細胞株を、マウスの腹腔内に注射して、腹水型の抗体産生細胞を増殖させることによってモノクローナル抗体を腹水中に産生することが可能となり、これらの抗体を回収することで、目的の抗体を入手することができる。
【００３９】
（標識を有する第一の粒子）
本発明で使用される標識を有する第一の粒子は、下記式（１）で示される少なくとも一種の化合物と粒子とを含有する粒子であり、標識粒子又は蛍光標識粒子とも表記する。標識を有する第一の粒子は、好ましくはラテックス粒子であり、より好ましくは蛍光ラテックス粒子である。
【化１０】
0006936383.tif 000011
式（１）中の各記号の意味は、本明細書中に定義した通りである。
【００４０】
通常の色素化合物は、粒子への取り込み量を増やすと会合の影響を受け、量子収率が低下していくことが知られている（これを濃度消光とも言う）。特に、吸収波長が６５０ｎｍ以上の長波長である蛍光色素化合物は粒子に取り込まれると濃度消光しやすく、量子収率を維持することは困難である。
【００４１】
本発明で使用する式（１）で示される化合物は、共役系置換基を有することで長波長発光を可能としており、かつ、ジピロメテン骨格に複数の置換基を持たせることによりポリマー粒子中での量子収率の低下を抑制することができる。量子収率低下抑制の要因としては、ジピロメテン骨格に対して垂直方向に張り出す複数の置換基による分子間の相互作用（例えばπ−π相互作用）の抑制が考えられる。式（１）で示される化合物によれば、特に長波長領域において輝度の高い標識を有する第一の粒子（好ましくは蛍光粒子、より好ましくは蛍光ナノ粒子）を製造することができる。なお、標識を有する第一の粒子が蛍光粒子である場合、輝度とは、蛍光強度のことである。本発明によれば、生体の窓の領域（生体を透過しやすい近赤外波長域である６５０〜９００ｎｍ付近）で発光量子収率が高いことから、発光を用いたセンシングの感度向上が可能である。
【００４２】
本明細書において、アルキル基とは、直鎖、分岐鎖、環状又はこれらの組み合わせの何れでもよく、直鎖又は分岐鎖アルキル基の炭素数は好ましくは１〜３６であり、より好ましくは１〜１８であり、さらに好ましくは１〜１２であり、特に好ましくは１〜６である。環状のアルキル基としては、例えば炭素数３〜８のシクロアルキルなどが挙げられる。アルキル基の具体例としては、メチル基、エチル基、ｎ−プロピル基、イソプロピル基、ｎ−ブチル基、ｉｓｏ−ブチル基、ｓｅｃ−ブチル基、ｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、及びシクロヘキシル基などが挙げられる。
【００４３】
本明細書において、アリール基とは、炭素数が６〜４８のアリール基が好ましく、炭素数が６〜２４のアリール基がより好ましく、炭素数が６〜１４のアリール基がさらに好ましく、例えば、フェニル基、ナフチル基、アントリル基、ピレニル基、フェナントレニル基、ビフェニル基、フルオレニル基などが挙げられる。
【００４４】
本明細書において、ヘテロ環基としては、好ましくは５〜７員の置換もしくは無置換、飽和もしくは不飽和、芳香族もしくは非芳香族、単環もしくは縮環のヘテロ環基の何れでもよい。ヘテロ環基は、好ましくは、環構成原子が炭素原子、窒素原子、酸素原子及び硫黄原子から選択され、かつ窒素原子、酸素原子及び硫黄原子の何れかのヘテロ原子を少なくとも一個有するヘテロ環基であり、さらに好ましくは、炭素数３〜３０の５もしくは６員の芳香族のヘテロ環基である。ヘテロ環基としては、例えば、フリル基、ベンゾフリル基、ジベンゾフリル基、チエニル基、ベンゾチエニル基、ジベンゾチエニル基、ピリジル基、ピリミジニル基、キノリル基、イソキノリル基、アクリジニル基、フェナントリジニル基、プテリジニル基、ピラジニル基、キノキサリニル基、ピリミジニル基、キナゾリル基、ピリダジニル基、シンノリニル基、フタラジニル基、トリアジニル基、オキサゾリル基、ベンゾオキサゾリル基、チアゾリル基、ベンゾチアゾリル基、イミダゾリル基、ベンゾイミダゾリル基、ピラゾリル基、インダゾリル基、イソオキサゾリル基、ベンゾイソオキサゾリル基、イソチアゾリル基、ベンゾイソチアゾリル基、オキサジアゾリル基、チアジアゾリル基、トリアゾリル基、テトラゾリル基、フリル基、チエニル基、ピロリル基、インドリル基、イミダゾピリジニル基、カルバゾリル基等が挙げられる。
【００４５】
本明細書において、アシル基としては、好ましくは炭素数２〜１５の直鎖、又は分岐アルカノイル基であり、例えば、アセチル基、プロピオニル基、ブチリル基、イソブチリル基、バレリル基、イソバレリル基、ピバロイル基、ヘキサノイル基、ヘプタノイル基、ベンゾイル基などが挙げられる。
【００４６】
本明細書において、アルコキシ基としては、好ましくは、炭素数１〜２０のアルコキシ基であり、例えば、メトキシ基、エトキシ基、プロポキシ基、ｎ−ブトキシ基、ペンチルオキシ基、ヘキシルオキシ基、ヘプチルオキシ基などが挙げられる。
本明細書において、アリールオキシ基としては、好ましくは炭素数６〜１４のアリールオキシ基であり、例えば、フェノキシ基、ナフトキシ基、アントリルオキシ基などが挙げられる。
【００４７】
アルキルチオ基としては、好ましくは、炭素数１から３０のアルキルチオ基であり、例えば、メチルチオ基、エチルチオ基、ｎ−ヘキサデシルチオ基等が挙げられる。
アリールチオ基としては、好ましくは、炭素数６から３０のアリールチオ基であり、例えば、フェニルチオ基、ｐ−クロロフェニルチオ基、ｍ−メトキシフェニルチオ基等が挙げられる。
【００４８】
本明細書において、ハロゲン原子としては、フッ素原子、塩素原子、臭素原子及びヨウ素原子が挙げられる。
【００４９】
本明細書において、芳香環とは、ベンゼン環、ナフタレン環、アントラセン環、フェナンスレン環、ピレン環、ペリレン環及びテリレン環等の芳香族炭化水素環；インデン環、アズレン環、ピリジン環、ピラジン環、ピリミジン環、ピラゾール環、ピラゾリジン環、チアゾリジン環、オキサゾリジン環、ピラン環、クロメン環、ピロール環、ピロリジン環、ベンゾイミダゾール環、イミダゾリン環、イミダゾリジン環、イミダゾール環、ピラゾール環、トリアゾール環、トリアジン環、ジアゾール環、インドリン環、チオフェン環、チエノチオフェン環、フラン環、オキサゾール環、オキサジアゾール環、チアジン環、チアゾール環、インドール環、ベンゾチアゾール環、ベンゾチアジアゾール環、ナフトチアゾール環、ベンゾオキサゾール環、ナフトオキサゾール環、インドレニン環、ベンゾインドレニン環、ピラジン環、キノリン環及びキナゾリン環等の芳香族ヘテロ環；並びにフルオレン環及びカルバゾール環等の縮合型芳香環等が挙げられ、炭素数５〜１６の芳香環（芳香環及び芳香環を含む縮合環）が好ましい。
なお、芳香環は置換基を有していてもよく、「芳香環」との用語は、置換基を有する芳香環、及び置換基を有さない芳香環の両方を意味する。芳香環が有する置換基としては、後記する置換基群Ａに記載の置換基が挙げられる。
【００５０】
本明細書において、アミノ基としては、アミノ基；モノ又はジメチルアミノ基、モノ又はジエチルアミノ基並びにモノ又はジ（ｎ−プロピル）アミノ基等のアルキル置換アミノ基；モノ又はジフェニルアミノ基並びにモノ又はジナフチルアミノ基等の芳香族残基で置換されたアミノ基；モノアルキルモノフェニルアミノ基等のアルキル基と芳香族残基が一つずつ置換したアミノ基；ベンジルアミノ基、アセチルアミノ基、フェニルアセチルアミノ基等が挙げられる。ここで芳香族残基とは、芳香環から水素原子１個を除いた基を意味し、芳香環は本明細書中上記した通りである。
【００５１】
Ｒ１１〜Ｒ１５が表すアルキル基、アリール基、ヘテロ環基、エテニル基、エチニル基、アミノ基、アシル基、アルコキシ基、アリールオキシ基、アルキルチオ基、又はアリールチオ基は、置換基を有していてもよく、上記置換基としては、下記の置換基群Ａに記載の置換基が挙げられる。
【００５２】
置換基群Ａ：
スルファモイル基、シアノ基、イソシアノ基、チオシアナト基、イソチオシアナト基、ニトロ基、ニトロシル基、ハロゲン原子、ヒドロキシ基、アミノ基、メルカプト基、アミド基、アルコキシ基、アリールオキシ基、アルキルチオ基、アリールチオ基、カルバモイル基、アシル基、アルデヒド基、カルボニル基、アリール基、アルキル基、ハロゲン原子で置換されたアルキル基、エテニル基、エチニル基、シリル基、及びトリアルキルシリル基（トリメチルシリル基等）。
【００５３】
Ｘ１及びＸ２が表すアルキル基、アリール基、ヘテロ環基、ヒドロキシ基、アルコキシ基、アリールオキシ基、アルキルチオ基、アリールチオ基、エテニル基、又はエチニル基は、置換基を有していてもよく、上記置換基としては、置換基群Ａに記載の置換基が挙げられる。
【００５４】
Ａｒ１及びＡｒ２が表すアリール基又はヘテロ環基は、置換基を有していてもよく、上記置換基としては、置換基群Ａに記載の置換基が挙げられる。
Ｒ１１１〜Ｒ１１６が表すアルキル基、アリール基、ヘテロ環基、エテニル基、エチニル基、アミノ基、アシル基、アルコキシ基、アリールオキシ基、アルキルチオ基、又はアリールチオ基は、置換基を有していてもよく、上記置換基としては、置換基群Ａに記載の置換基が挙げられる。
【００５５】
＜式（１）で示される化合物＞
式（１）中、Ｒ１１〜Ｒ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ｒ１１〜Ｒ１５のうち少なくとも３つは水素原子以外の原子又は基を表し、好ましくはＲ１１〜Ｒ１５のうち少なくとも４つは水素原子以外の原子又は基を表し、より好ましくはＲ１１〜Ｒ１５の全てが水素原子以外の原子又は基を表す。
【００５６】
Ｒ１１及びＲ１５は、同一の又は異なる原子又は基でもよいが、好ましくは同一の原子又は基である。Ｒ１２及びＲ１４は、同一の又は異なる原子又は基でもよいが、好ましくは同一の原子又は基である。
Ｒ１１及びＲ１５は、好ましくは、水素原子、ハロゲン原子、アルキル基、アリール基、ヘテロ環基、エテニル基、又はエチニル基を表し、これらは置換基を有していてもよい。
Ｒ１２及びＲ１４は、好ましくは、アルキル基を表し、これらは置換基を有していてもよい。
Ｒ１３は、好ましくは、アリール基を表し、これは置換基を有していてもよい。
【００５７】
式（１）中、Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。
Ｘ１及びＸ２は、好ましくは、ハロゲン原子、又はアルコキシ基を表す。Ｘ１及びＸ２は、フッ素原子、メトキシ基、エトキシ基、イソプロピルオキシ基、ｔ−ブチルオキシ基であることがより好ましく、これらはフッ素原子、アルコキシ基によって置換されていることも好ましい。
【００５８】
式（１）中、Ａｒ１及びＡｒ２はそれぞれ独立に、アリール基又はヘテロ環基を表し、これらは置換基を有していてもよい。
【００５９】
式（１）中、Ｌ１及びＬ２はそれぞれ独立に、式（Ｌ−１）〜式（Ｌ−４）の何れかを表す。
【化１１】
0006936383.tif 000012
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。
Ｌ１及びＬ２は、好ましくは、式（Ｌ−１）又は式（Ｌ−２）の何れかを表し、より好ましくは式（Ｌ−１）を表す。
Ｒ１１１〜Ｒ１１６は、好ましくは水素原子である。
【００６０】
＜式（２）で示される化合物について＞
式（１）で示される化合物の好ましい例としては、下記式（２）で示される化合物が挙げられる。
【化１２】
0006936383.tif 000013
式中、Ｒ１１〜Ｒ１５、Ｘ１、Ｘ２、Ａｒ１及びＡｒ２は式（１）における定義と同義であり、好ましい範囲も、式（１）における好ましい範囲と同じである。Ｌ２１及びＬ２２はそれぞれ独立に、式（Ｌ−１）又は式（Ｌ−２）で表される基を表わす。Ｌ２１及びＬ２２は、好ましくは式（Ｌ−１）で表される基を表わす。
【化１３】
0006936383.tif 000014
【００６１】
＜式（３）で示される化合物について＞
式（１）で示される化合物の好ましい例としては、下記式（３）で示される化合物が挙げられる。
【化１４】
0006936383.tif 000015
【００６２】
式（３）中、Ｒ１１、Ｒ１２、Ｒ１４、Ｒ１５、Ｘ１、Ｘ２、Ａｒ１、Ａｒ２、Ｌ１及びＬ２は、式（１）における定義と同義であり、好ましい範囲も、式（１）における好ましい範囲と同じである。但し、Ｒ１１、Ｒ１２、Ｒ１４及びＲ１５の少なくとも２つは水素原子以外の原子又は基であり、好ましくは、Ｒ１１、Ｒ１２、Ｒ１４及びＲ１５の少なくとも３つは水素原子以外の原子又は基であり、より好ましくは、Ｒ１１、Ｒ１２、Ｒ１４及びＲ１５は、水素原子以外の原子又は基である。
【００６３】
式（３）中、Ｒ３１〜Ｒ３５はそれぞれ独立に、水素原子、ハロゲン原子、アルキル基、アリール基、ヘテロ環基、エテニル基、エチニル基、アミノ基、シアノ基、アシル基、アルコキシ基、アリールオキシ基、アルキルチオ基、又はアリールチオ基を表し、これらは置換基（上記置換基としては、置換基群Ａに記載の置換基が挙げられる）を有していてもよく、Ｒ３１、Ｒ３２、Ｒ３４及びＲ３５のいずれか一つは２原子以上からなる基である。２原子以上からなる基としては、アルキル基、アリール基、エテニル基、エチニル基、アミノ基、シアノ基、アルコキシ基が好ましく、アルキル基がより好ましい。アルキル基の中でも、炭素原子と水素原子のみで構成されるアルキル基、ハロゲン原子で置換されたアルキル基が好ましく、炭素数１〜６の炭素原子と水素原子のみで構成されるアルキル基、フッ素原子で置換されたアルキル基がより好ましく、メチル基、イソプロピル基、ｔ−ブチル基、トリフルオロメチル基がさらに好ましく、メチル基が特に好ましい。
【００６４】
＜式（４）で示される化合物について＞
式（１）で示される化合物の好ましい例としては、下記式（４）で示される化合物が挙げられる。
【化１５】
0006936383.tif 000016
式（４）中、Ｒ１２、Ｒ１３、Ｒ１４、Ｘ１、Ｘ２、Ａｒ１、Ａｒ２、Ｌ１及びＬ２は、式（１）における定義と同義であり、好ましい範囲も、式（１）における好ましい範囲と同じである。但し、Ｒ１２、Ｒ１３及びＲ１４の少なくとも１つは水素原子以外の原子又は基であり、好ましくは、Ｒ１２、Ｒ１３及びＲ１４の少なくとも２つは水素原子以外の原子又は基であり、より好ましくは、Ｒ１２、Ｒ１３及びＲ１４は水素原子以外の原子又は基である。
式（４）中、Ｒ４１及びＲ４２はそれぞれ独立に、アリール基、ヘテロ環基、エテニル基、又はエチニル基を表し、これらは置換基を有していてもよい。上記置換基としては、置換基群Ａに記載の置換基が挙げられる。Ｒ４１及びＲ４２はそれぞれ独立に、アリール基、エテニル基、又はエチニル基であることが好ましく、量子収率向上の観点からは、アリール基が好ましく、長波長化の観点からは、エテニル基、エチニル基であることが好ましい。アリール基である場合、アリール基のオルト位又はメタ位に少なくとも一つ置換基を有していることが好ましく、オルト位に少なくとも一つ置換基を有していることがより好ましい。アリール基に置換する置換基の数は、１〜３つが好ましく、２つ又は３つがより好ましい。アリール基に置換する置換基としては、アルキル基であることが好ましく、メチル基、イソプロピル基、ｔ−ブチル基であることがより好ましく、メチル基であることがさらに好ましい。
【００６５】
＜式（５）で示される化合物について＞
式（１）で示される化合物の好ましい例としては、下記式（５）で示される化合物が挙げられる。
【化１６】
0006936383.tif 000017
【００６６】
式（５）中、Ｒ１１〜Ｒ１５、Ｘ１、Ｘ２、Ｌ１及びＬ２は、式（１）における定義と同義であり、好ましい範囲も、式（１）における好ましい範囲と同じである。
【００６７】
式（５）中、Ｒ５１及びＲ５２はそれぞれ独立に、アルキル基、アリール基、ヘテロアリール基、アミノ基、アシル基、アルコキシ基、アリールオキシ基、アルキルチオ基、又はアリールチオ基を表し、これらは置換基を有していてもよい。上記置換基としては、置換基群Ａに記載の置換基が挙げられる。Ｒ５１及びＲ５２はそれぞれ独立に、アルキル基、アルコキシ基であることが好ましく、量子収率向上の観点では、アルキル基であることがより好ましく、メチル基、エチル基、イソプロピル基、ｔ−ブチル基であることがさらに好ましく、メチル基であることが特に好ましい。長波長化の観点では、アルコキシ基であることがより好ましく、メトキシ基、エトキシ基、イソプロピルオキシ基、ｔ−ブチルオキシ基であることがさらに好ましく、メトキシ基であることが特に好ましい。
【００６８】
Ｑ１及びＱ２はそれぞれ独立に、芳香族炭化水素環又は芳香族ヘテロ環を表し、これらは置換基を有していてもよい。上記置換基としては、置換基群Ａに記載の置換基が挙げられる。Ｑ１及びＱ２は、芳香族炭化水素環であることが好ましく、ベンゼン環、ナフタレン環、アントラセン環、フェナンスレン環、ピレン環であることがより好ましく、ベンゼン環、ナフタレン環であることがさらに好ましく、ベンゼン環であることが特に好ましい。Ｒ５１を含みＱ１を形成する基、及び、Ｒ５２を含みＱ２を形成する基としては、トリル基、キシリル基、メシチル基が好ましく、キシリル基、メシチル基であることがより好ましく、Ｌ１あるいはＬ２との結合位置に対してオルト位の両方にメチル基を有するキシリル基、Ｌ１あるいはＬ２との結合位置に対してオルト位の両方及びパラ位にメチル基を有するメシチル基であることがさらに好ましく、Ｌ１あるいはＬ２との結合位置に対してオルト位の両方及びパラ位にメチル基を有するメシチル基であることが特に好ましい。
【００６９】
＜式（６）で示される化合物について＞
式（５）で示される化合物は、下記式（６）で示される化合物であることがより好ましい。
【化１７】
0006936383.tif 000018
式中、Ｒ１１、Ｒ１２、Ｒ１４及びＲ１５はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよく、Ｒ１１、Ｒ１２、Ｒ１４及びＲ１５の少なくとも２つは水素原子以外の原子又は基である。
Ｘ１及びＸ２はそれぞれ独立に、ハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｘ１及びＸ２は互いに連結して環を形成してもよい。
Ｒ３１〜Ｒ３５はそれぞれ独立に、水素原子、ハロゲン原子、アルキル基、アリール基、ヘテロ環基、エテニル基、エチニル基、アミノ基、アシル基、シアノ基、アルコキシ基、アリールオキシ基、アルキルチオ基、又はアリールチオ基を表し、これらは置換基を有していてもよく、Ｒ３１〜Ｒ３５のいずれか一つは水素原子である。
Ｒ５１及びＲ５２はそれぞれ独立に、アルキル基、アリール基、ヘテロアリール基、アミノ基、アシル基、アルコキシ基、アリールオキシ基、アルキルチオ基、又はアリールチオ基を表し、これらは置換基を有していてもよい。
Ｑ１及びＱ２はそれぞれ独立に、芳香族炭化水素環又は芳香族ヘテロ環を表し、これらは置換基を有していてもよい。
Ｌ１及びＬ２はそれぞれ独立に、式（Ｌ−１）〜式（Ｌ−４）の何れかを表す。
【化１８】
0006936383.tif 000019
式中、Ｒ１１１〜Ｒ１１６はそれぞれ独立に、水素原子、ハロゲン原子、アルキル基、アリール基、ヘテロ環基、エテニル基、エチニル基、アミノ基、アシル基、アルコキシ基、アリールオキシ基、アルキルチオ基、又はアリールチオ基を表し、これらは置換基を有していてもよい。Ａは、−Ｏ−、−Ｓ−、又は−ＮＨ−を表す。
【００７０】
Ｒ１１及びＲ１５はそれぞれ独立に、アルキル基、アリール基、ヘテロ環基、エテニル基、エチニル基、アミノ基であることが好ましく、上記Ｒ４１及びＲ４２と同義であること、すなわち、アリール基、ヘテロ環基、エテニル基、又はエチニル基であることがより好ましく、アリール基、エテニル基、エチニル基であることがさらに好ましい。量子収率向上の観点からは、アリール基がより好ましく、長波長化の観点からは、エテニル基、エチニル基であることがより好ましい。アリール基である場合、アリール基のオルト位又はメタ位に少なくとも一つ置換基を有していることが好ましく、オルト位に少なくとも一つ置換基を有していることがより好ましい。アリール基に置換する置換基の数は、１〜３つが好ましく、２つ又は３つがより好ましい。アリール基に置換する置換基としては、アルキル基であることが好ましく、メチル基、イソプロピル基、ｔ−ブチル基であることがより好ましく、メチル基であることがさらに好ましい。
【００７１】
＜式（１）〜式（６）で示される化合物の具体例＞
式（１）〜式（６）で示される化合物の具体例を以下に記載する。Ｍｅはメチル基を示し、Ｅｔはエチル基を示し、ｉＰｒはイソプロピル基を示す。
【００７２】
【化１９】
0006936383.tif 000020
【００７３】
【化２０】
0006936383.tif 000021
【００７４】
【化２１】
0006936383.tif 000022
【００７５】
【化２２】
0006936383.tif 000023
【００７６】
【化２３】
0006936383.tif 000024
【００７７】
【化２４】
0006936383.tif 000025
【００７８】
標識粒子は、少なくとも一種のエネルギードナー化合物と、少なくとも一種のエネルギーアクセプター化合物と、粒子とを含有する標識粒子であってもよく、その場合、上記エネルギードナー化合物及び上記エネルギーアクセプター化合物の少なくとも一種が、上記式（１）で示される化合物であればよい。
【００７９】
本発明の別の例においては、発光性粒子は、エネルギードナー化合物及びエネルギーアクセプター化合物の何れか一方として、式（１）で示される化合物を含有し、エネルギードナー化合物及びエネルギーアクセプター化合物の何れか他方として、後記する式（１０）で示される化合物を含有する。即ち、発光性粒子としては、エネルギードナー化合物として式（１）で示される化合物を含有し、エネルギーアクセプター化合物として式（１０）で示される化合物を含有する発光性粒子でもよいし、エネルギーアクセプター化合物として式（１）で示される化合物を含有し、エネルギードナー化合物として式（１０）で示される化合物を含有する発光性粒子でもよい。
【００８０】
＜式（１０）で示される化合物＞
【化２５】
0006936383.tif 000026
【００８１】
式（１０）中、ｍ１及びｍ２はそれぞれ独立に０〜４の整数を表し、ｍ１及びｍ２の何れかは少なくとも１以上である。Ｍは半金属原子又は金属原子を表す。Ｒ１、Ｒ２及びＲ３はそれぞれ独立に水素原子、アルキル基、アリール基、ヘテロ環基、エテニル基、エチニル基、アシル基、アルコキシ基、アリールオキシ基、アルキルチオ基、又はアリールチオ基を表し、これらは置換基を有していてもよい。Ｙ１及びＹ２はそれぞれ独立にハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｙ１及びＹ２は互いに連結して環を形成してもよい。Ａｒ１１及びＡｒ１２はそれぞれ独立に、置換基を有していてもよい芳香環を表す。Ｚ１及びＺ２はそれぞれ独立にアリール基、ヘテロ環基又はアミノ基を表し、これらは置換基を有していてもよい。ｍ１が２以上である場合、複数のＺ１は同じ基でもそれぞれ異なる基でもよく、ｍ２が２以上である場合、複数のＺ２は同じ基でもそれぞれ異なる基でもよい。
【００８２】
式（１０）中、ｍ１及びｍ２はそれぞれ独立に０〜４の整数を表し、好ましくは、ｍ１及びｍ２は共に１以上である。ｍ１及びｍ２は同一でも異なる整数でもよいが、好ましくは同一の整数である。好ましくは、ｍ１及びｍ２はそれぞれ独立に１又は２であり、より好ましくは、ｍ１及びｍ２は共に１又は共に２であり、特に好ましくはｍ１及びｍ２は共に１である。
【００８３】
式（１０）中、Ｍは半金属原子又は金属原子を表し、好ましくは半金属原子を表し、特に好ましくは、ホウ素原子を示す。
【００８４】
式（１０）中、Ｒ１、Ｒ２及びＲ３はそれぞれ独立に水素原子、アルキル基、アリール基、ヘテロ環基、エテニル基、エチニル基、アシル基、アルコキシ基、アリールオキシ基、アルキルチオ基、又はアリールチオ基を表し、これらは置換基を有していてもよい。
好ましくは、Ｒ１及びＲ２はそれぞれ独立に、アリール基又はヘテロ環基であり、これらは置換基を有していてもよい。
Ｒ１及びＲ２はそれぞれ同一でも異なっていてもよいが、好ましくは同一である。
Ｒ１及びＲ２は、連結して環を形成することはない。
好ましくは、Ｒ３は、水素原子、アルキル基、アリール基又はヘテロ環基であり、これらは置換基を有していてもよい。より好ましくは、Ｒ３は、水素原子である。
【００８５】
式（１０）中、Ｙ１及びＹ２はそれぞれ独立にハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよく、Ｙ１及びＹ２は互いに連結して環を形成してもよい。
好ましくは、Ｙ１及びＹ２はそれぞれ独立に、ハロゲン原子、アルキル基、アリール基、ヒドロキシ基、アルコキシ基、又はアリールオキシ基を表し、これらは置換基を有していてもよく、Ｙ１及びＹ２は互いに連結して環を形成してもよい。
より好ましくは、Ｙ１及びＹ２はそれぞれ独立に、ハロゲン原子である。
さらに好ましくは、Ｙ１及びＹ２はフッ素原子である。
Ｙ１及びＹ２はそれぞれ同一でも異なっていてもよいが、好ましくは同一である。
【００８６】
式（１０）中、Ａｒ１１及びＡｒ１２はそれぞれ独立に、置換基を有していてもよい芳香環を表す。
好ましくは、Ａｒ１１及びＡｒ１２はベンゼン環を表す。
【００８７】
式（１０）中、Ｚ１及びＺ２はそれぞれ独立に、アリール基、ヘテロ環基又はアミノ基を表し、これらは置換基を有していてもよい。ｍ１が２以上である場合、複数のＺ１は同じ基でもそれぞれ異なる基でもよく、ｍ２が２以上である場合、複数のＺ２は同じ基でもそれぞれ異なる基でもよい。
好ましくは、Ｚ１及びＺ２は、それぞれ独立に、置換基を有していてもよいアリール基を表す。
より好ましくは、Ｚ１及びＺ２は、それぞれ独立に、フェニル基、ナフチル基、又はアントリル基を表し、これらは置換基を有していてもよい。
好ましくは、ｍ１が２以上である場合、複数のＺ１は同じ基である。
好ましくは、ｍ２が２以上である場合、複数のＺ２は同じ基である。
式（１０）で示される化合物は、分子内に、カルボン酸基、リン酸基、スルホン酸基などの酸性基を有さないことが好ましい。
【００８８】
＜式（１０Ａ）で示される化合物について＞
式（１０）で示される化合物の好ましい例としては、下記式（１０Ａ）で示される化合物が挙げられる。
【化２６】
0006936383.tif 000027
【００８９】
式（１０Ａ）中、Ｙ１及びＹ２はそれぞれ独立にハロゲン原子、アルキル基、アリール基、ヘテロ環基、ヒドロキシ基、アルコキシ基、アリールオキシ基、アルキルチオ基、アリールチオ基、エテニル基、又はエチニル基を表し、これらは置換基を有していてもよい。上記置換基としては、置換基群Ａに記載の置換基が挙げられる。
好ましくは、Ｙ１及びＹ２はそれぞれ独立にハロゲン原子を表す。
特に好ましくは、Ｙ１及びＹ２はフッ素原子である。
【００９０】
式（１０Ａ）中、Ｒ３は水素原子、アルキル基、アリール基、ヘテロ環基、エテニル基、エチニル基、又はアシル基を表し、これらは置換基を有していてもよい。
好ましくは、Ｒ３は、水素原子、アルキル基、アリール基又はヘテロ環基であり、これらは置換基を有していてもよい。
より好ましくは、Ｒ３は、水素原子である。
【００９１】
式（１０Ａ）中、Ａｒ３及びＡｒ４はそれぞれ独立にアリール基又はヘテロ環基を表し、これらは置換基を有していてもよい。上記置換基としては、置換基群Ａに記載の置換基が挙げられる。
【００９２】
式（１０Ａ）中、Ｒ３４〜Ｒ４１はそれぞれ独立に水素原子、ハロゲン原子、アルキル基、アリール基、ヘテロ環基、エテニル基、エチニル基、アシル基、アルコキシ基、アリールオキシ基、アルキルチオ基、アリールチオ基、又はアミノ基を表し、これらは置換基を有していてもよい。上記置換基としては、置換基群Ａに記載の置換基が挙げられる。
【００９３】
式（１０Ａ）中、好ましくは、Ｒ３４〜Ｒ４１の少なくとも１つ以上が、置換基を有していてもよいアリール基である。
さらに好ましくは、Ｒ３４〜Ｒ３７の少なくとも１つ以上が、置換基を有していてもよいアリール基であり、Ｒ３８〜Ｒ４１の少なくとも１つ以上が、置換基を有していてもよいアリール基である。
【００９４】
より好ましくは、Ｒ３４〜Ｒ４１の少なくとも１つ以上が、式（１１）で表される基である。さらに好ましくは、Ｒ３４〜Ｒ３７の少なくとも１つ以上が、式（１１）で表される基であり、Ｒ３８〜Ｒ４１の少なくとも１つ以上が、式（１１）で表される基である。
【化２７】
0006936383.tif 000028
式（１１）中、Ｒ２０１〜Ｒ２０５は水素原子、ハロゲン原子、アルキル基、アリール基、ヘテロ環基、エテニル基、エチニル基、アシル基、アルコキシ基、アリールオキシ基、アルキルチオ基、アリールチオ基、又はアミノ基であり、Ｒ２０１及びＲ２０５の少なくとも一方は水素原子以外の原子又は基である。Ｒ２０１とＲ２０２は互いに連結して環を形成してもよく、Ｒ２０２とＲ２０３は互いに連結して環を形成してもよく、Ｒ２０３とＲ２０４は互いに連結して環を形成してもよく、Ｒ２０４とＲ２０５は互いに連結して環を形成してもよい。
【００９５】
別の好ましい態様によれば、Ｒ３４〜Ｒ４１の少なくとも１つ以上が、式（１２）で表される基である。さらに好ましくは、Ｒ３４〜Ｒ３７の少なくとも１つ以上が、式（１２）で表される基であり、Ｒ３８〜Ｒ４１の少なくとも１つ以上が、式（１２）で表される基である。
【化２８】
0006936383.tif 000029
式（１２）中、Ｒ１０１は、水素原子、アルキル基、アリール基、ヘテロ環基、エテニル基、エチニル基、又はアシル基を表し、これらは置換基を有していてもよい。上記置換基としては、置換基群Ａに記載の置換基が挙げられる。Ａｒ１０１はアリール基、又はヘテロ環基を表し、これらは置換基を有していてもよい。上記置換基としては、置換基群Ａに記載の置換基が挙げられる。Ａｒ１０１とＲ１０１は互いに連結して環を形成してもよい。
式（１０Ａ）で示される化合物は、分子内に、カルボン酸基、リン酸基、スルホン酸基などの酸性基を有さないことが好ましい。
【００９６】
＜式（１０）又は式（１０Ａ）で示される化合物の具体例＞
式（１０）又は式（１０Ａ）で示される化合物の具体例を以下に記載する。Ｍｅはメチル基を示し、Ｂｕはｎ−ブチル基を示し、Ｐｈはフェニル基を示す。
【００９７】
【化２９】
0006936383.tif 000030
【００９８】
【化３０】
0006936383.tif 000031
【００９９】
【化３１】
0006936383.tif 000032
【０１００】
【化３２】
0006936383.tif 000033
【０１０１】
【化３３】
0006936383.tif 000034
【０１０２】
【化３４】
0006936383.tif 000035
【０１０３】
【化３５】
0006936383.tif 000036
【０１０４】
【化３６】
0006936383.tif 000037
【０１０５】
＜エネルギードナー化合物とエネルギーアクセプター化合物の組み合わせの具体例について＞
エネルギードナー化合物とエネルギーアクセプター化合物の組み合わせの具体例を以下に記載する。
【０１０６】
【表１】
0006936383.tif 000038
【０１０７】
【表２】
0006936383.tif 000039
【０１０８】
エネルギードナー化合物とエネルギーアクセプター化合物の選択に関しては、吸収が短波長の化合物がエネルギードナー化合物であり、吸収が長波長の化合物がエネルギーアクセプター化合物であり、エネルギードナー化合物の発光とエネルギーアクセプター化合物の吸収が少しでも重なっている場合には、本発明の粒子において使用できる可能性がある。エネルギーアクセプター化合物の吸収の極大波長が、エネルギードナー化合物の吸収の波長より１０〜１００ｎｍ程度長波長側にある場合が好ましい。エネルギーアクセプター化合物の吸収の極大波長が、エネルギードナー化合物の吸収の波長より１０〜７０ｎｍ長波長側にある場合がより好ましい。
【０１０９】
エネルギードナー化合物の発光が吸収のどの程度長波長に出るか（ストークスシフトの大きさ）は化合物によって異なるため、一概には言えないが、式（１）で示される化合物では吸収極大波長＋３０ｎｍ程度に発光の極大があり、そこから＋１００ｎｍ程度までは発光スペクトルが存在するため、その付近に吸収を持つアクセプター化合物を併用することによりエネルギー移動の系が実現できることが想定される。
【０１１０】
なお、各化合物の吸収波長に関しては、化合物を合成して測定するだけでなく、Ｇａｕｓｓｉａｎ等による計算から予測することも可能であり、計算値の関係から、エネルギードナー化合物とエネルギーアクセプター化合物の組み合わせを推定することもできる。
【０１１１】
本発明においては、ストークスシフトの大きさが、好ましくは２５ｎｍ以上であり、より好ましくは３０ｎｍ以上であり、より一層好ましくは３５ｎｍ以上であり、さらに好ましくは４０ｎｍ以上であり、さらに一層好ましくは４５ｎｍ以上であり、特に好ましくは５０ｎｍ以上であり、最も好ましくは６０ｎｍ以上である。ストークスシフトの大きさの上限は特に限定されないが、一般的には、１５０ｎｍ以下である。
【０１１２】
＜式（１）〜式（６）で示される化合物の使用量＞
本発明で用いる粒子（即ち、式（１）〜式（６）で示される化合物を添加する前の粒子）に対する式（１）〜式（６）で示される化合物の含有量は、本発明の効果を損なわない限り特に限定されないが、好ましくは０．５μｍｏｌ／ｇ〜４００μｍｏｌ／ｇであり、より好ましくは１μｍｏｌ／ｇ〜３００μｍｏｌ／ｇであり、さらに好ましくは２μｍｏｌ／ｇ〜２００μｍｏｌ／ｇであり、特に好ましくは３μｍｏｌ／ｇ〜１００μｍｏｌ／ｇである。
【０１１３】
本発明で用いる粒子（即ち、式（１）〜式（６）で示される化合物を添加する前の粒子）に対する式（１）〜式（６）で示される化合物の含有量は、本発明の効果を損なわない限り特に限定されないが、好ましくは０．１質量％〜３０質量％であり、より好ましくは０．２質量％〜２０質量％であり、さらに好ましくは０．３質量％〜１０質量％であり、特に好ましくは０．４質量％〜８質量％である。
【０１１４】
本発明の発光性粒子において、式（１）〜式（６）で示される化合物は少なくとも一種使用するが、二種以上の式（１）〜式（６）で示される化合物を使用してもよい。二種以上の式（１）〜式（６）で示される化合物を使用する場合には、合計量が、上記の範囲内となることが好ましい。
【０１１５】
エネルギードナー化合物とエネルギーアクセプター化合物の組み合わせを使用する場合には、エネルギードナー化合物とエネルギーアクセプター化合物のモル比は、１：１０〜２０：１であることが好ましく、１：１０〜１０：１であることがより好ましく、１：５〜１０：１であることがより好ましい。
【０１１６】
エネルギードナー化合物として式（１）で示される少なくとも一種の化合物を使用し、エネルギーアクセプター化合物として、式（１）で示される少なくとも一種の化合物を使用する場合においては、エネルギードナー化合物として二種以上の式（１）で示される化合物を使用してもよく、またエネルギーアクセプター化合物として二種以上の式（１）で示される化合物を使用してもよい。上記の場合、使用される式（１）で示される化合物の合計量が、上記の範囲内となることが好ましい。
【０１１７】
＜式（１）〜式（６）で示される化合物の製造方法＞
式（１）〜式（６）で示される化合物は、例えば、後記する実施例に示す合成スキームにより製造することができる。
【０１１８】
一例として、化合物（１）の合成の概要を以下に示す。３，５−ビス（トリフルオロメチル）ベンズアルデヒド及びジクロロメタンの混合物に、水冷しながら３−エチル−２，４−ジメチルピロールとトリフルオロ酢酸を加えた後、室温で撹拌し、水冷しながらクロラニルを加え、室温で撹拌した後、水冷しながらジイソプロピルエチルアミンを滴下し、室温で撹拌し、続いて、水冷しながら三フッ化ホウ素ジエチルエーテル錯体を滴下し、室温で撹拌して反応を行うことにより、化合物（１−Ａ）を合成することができる。続いて、化合物（１−Ａ）、２，４，６−トリメチルベンズアルデヒド、及び脱水トルエンを混合し、室温で撹拌する。ピペリジン及びｐ−トルエンスルホン酸１水和物１片を加えて溶媒を留去しながら撹拌し、放冷後に脱水トルエンを加えて溶媒を留去しながら撹拌して反応を行うことにより、化合物（１）を製造することができる。
【０１１９】
別の例としては、化合物（５）は、後記する実施例における合成スキームに従って、２，３，５，６−テトラフルオロベンズアルデヒドと２，４−ジメチルピロールを出発化合物として、化合物（５−Ａ）、化合物（５−Ｂ）、及び化合物（５−Ｃ）を経由して製造することができる。
【０１２０】
化合物（１）及び化合物（５）は、式（１）で示される化合物の定義の範囲内である。化合物（１）及び化合物（５）以外の式（１）で示される化合物についても、反応に使用する化合物を、所望の式（１）で示される目的化合物に対応する置換基を有する化合物に置き換えることによって、製造することができる。
【０１２１】
＜式（１０）で示される化合物の製造方法＞
式（１０）で示される化合物は、例えば、以下に示す合成スキームにより製造することができる。
【０１２２】
【化３７】
0006936383.tif 000040
【０１２３】
上記合成スキームにおけるＲ１及びＺ１の定義は、式（１０）におけるＲ１及びＺ１の定義と同義である。
化合物Ａ−１０と化合物Ａ−２０とをＭａｃｒｏｍｏｌｅｃｕｌｅｓ  ２０１０、４３、１９３−２００に記載の方法に従って反応させることにより、化合物Ａ−３０を合成することができる。次いで、化合物Ａ−３０、式：Ｚ１−Ｂ（ＯＨ）２で表される化合物、及びフッ化セシウム（ＣｓＦ）をジメトキシエタン（ＤＭＥ）と水の混合溶液に加え、真空引き、窒素置換を繰り返して脱気を行う。酢酸パラジウム（Ｐｄ（ＯＡｃ）２）、及び２−ジシクロヘキシルホスフィノ−２’、６’−ジメトキシビフェニル（ＳＰｈｏｓ）を加え、昇温し、還流下、所定の時間（例えば、２〜２４時間）反応させることにより、化合物Ｄ−１０を製造することができる。
【０１２４】
化合物Ｄ−１０は、式（１０）で示される化合物の定義の範囲内である。化合物Ｄ−１０以外の式（１０）で示される化合物についても、化合物Ａ−１０、化合物Ａ−２０、及び式：Ｚ１−Ｂ（ＯＨ）２で表される化合物の何れか一種以上の化合物を、対応する化合物に置き換えることによって、製造することができる。
【０１２５】
（標識を有する第一の粒子）
本発明における標識を有する第一の粒子は、式（１）で示される化合物を含むことにより、高い量子収率と高い輝度を示す。
標識を有する第一の粒子の励起極大波長とは、励起スペクトルで蛍光強度の最も大きい波長である。標識を有する第一の粒子の蛍光極大波長とは、蛍光スペクトルで蛍光強度の最も大きい波長のことである。また、励起スペクトルとは、蛍光標識強度の励起波長依存性を示し、蛍光スペクトルは、蛍光強度の蛍光波長依存性を示す。
標識を有する第一の粒子の励起極大波長は、好ましくは６４０ｎｍ〜９００ｎｍであり、より好ましくは６４０ｎｍ〜８００ｎｍであり、さらにより好ましくは６５０ｎｍ〜７５０ｎｍである。
標識を有する第一の粒子の蛍光極大波長は、好ましくは６６０ｎｍ〜９００ｎｍであり、より好ましくは６６０ｎｍ〜８００ｎｍであり、さらに好ましくは６７０ｎｍ〜７５０ｎｍである。
標識を有する第一の粒子の蛍光強度とは、ある測定条件で測定した際の蛍光の強度のことであり、測定条件に依存するため一般的には相対的な比較をするために用いられる。
【０１２６】
標識を有する第一の粒子の励起極大波長、蛍光極大波長、及び蛍光強度は、市販の蛍光分光光度計を使用して測定することができ、例えば、島津製作所製の蛍光分光光度計ＲＦ−５３００ＰＣを使用して測定することができる。
【０１２７】
標識を有する第一の粒子の量子収率とは、標識を有する第一の粒子が吸収した光子数に対する蛍光として発光した光子数の割合のことである。
標識を有する第一の粒子が示す量子収率は、好ましくは０．２５以上であり、より好ましくは０．３０以上であり、さらに好ましくは０．４０以上である。量子収率の上限は特に限定されないが、一般的には、１．０以下である。
標識を有する第一の粒子の量子収率は、市販の量子収率測定装置を使用して測定することができ、例えば、浜松ホトニクス社製の絶対ＰＬ量子収率測定装置Ｃ９９２０−０２を使用して測定することができる。
【０１２８】
＜標識を有する第一の粒子の製造方法＞
標識を有する第一の粒子の製造方法は特に限定されないが、式（１）で示される少なくとも一種の化合物と粒子とを混合することによって製造することができる。例えば、ラテックス粒子などの粒子に、式（１）で示される化合物を添加することによって、標識を有する第一の粒子を作製することができる。より具体的には、水及び水溶性有機溶剤（テトラヒドロフラン、メタノール等）の何れか一種以上を含む粒子の溶液に、式（１）で示される化合物を含む溶液を添加して攪拌することにより、標識を有する第一の粒子を製造することができる。
【０１２９】
本発明においては、上記した標識を有する第一の粒子を含む分散液を調製してもよい。
分散液は、標識を有する第一の粒子を分散媒に分散することにより製造することができる。分散媒としては、水、有機溶媒、又は水と有機溶媒との混合物等が挙げられる。有機溶媒としては、メタノール、エタノール、イソプロパノール等のアルコール、テトラヒドロフラン等のエーテル系溶媒などを使用することができる。
分散液における標識を有する第一の粒子の固形分濃度は特に限定されないが、一般的には０．１〜２０質量％であり、好ましくは０．５〜１０質量％であり、より好ましくは１〜５質量％である。
【０１３０】
（第一の結合物質による標識を有する第一の粒子の修飾）
第一の結合物質を、標識を有する第一の粒子に固定化する方法は、例えば、特開２０００−２０６１１５号公報やThermo Fisher 社FluoSpheres（登録商標）ポリスチレンマイクロスフィアF8813に添付のプロトコールなどに記載されており、免疫凝集反応用試薬を調製する公知の方法がいずれも使用可能である。また、結合物質として抗体を粒子に固定化する原理として、物理吸着及び共有結合による化学結合のいずれの原理も採用可能である。抗体を粒子に固定させた後に抗体が被覆されていない粒子表面を覆うブロッキング剤（即ち、第一のブロッキング剤）としては、例えば、アルブミン（ＢＳＡなど）、スキムミルク、カゼイン、大豆由来成分、魚由来成分、又はポリエチレングリコールなど、並びに上記物質又は上記物質と性質が同じである物質を含む市販の免疫反応用ブロッキング剤などが使用可能である。これらのブロッキング剤は、必要に応じて熱や酸・アルカリ等により部分変性などの前処理を施すことも可能である。さらに、第一のブロッキング剤としては、プロゲステロンと結合性を有しない抗体（グロブリン）、あるいはテストエリアに使用しないタンパク質（Protein A、Protein G）などを使用することもできる。
【０１３１】
抗体を粒子に固定化する具体的な方法を、以下に例示する。粒子の固形分濃度が０．１〜１０質量％になるよう分散させた液に、０．０１〜２０ｍｇ／ｍＬの濃度に調整した抗体溶液を添加して、混合する。温度４〜５０℃の条件下で５分間〜４８時間撹拌を継続する。次いで遠心分離その他の方法により粒子と溶液を分離して、溶液に含まれている、粒子に結合しなかった抗体を十分に除去する。その後、粒子を緩衝液にて洗浄する操作を０〜１０回繰り返す。粒子と抗体とを混合して、粒子に抗体を結合させる操作を実施した後に、抗原抗体反応に関与しない成分、好ましくはタンパク質、より好ましくはグロブリン、アルブミン、ブロックエース（登録商標）、スキムミルク及びカゼインなどのブロッキング剤を使用して粒子表面の抗体が結合していない部分を保護することが望ましい。
【０１３２】
抗原や抗体等を粒子に固定化する際に、安定化剤を必要に応じて添加可能である。安定化剤としては、ショ糖や多糖類などの合成高分子あるいは天然高分子など、抗原や抗体を安定化するものであれば特に制限されず、Immunoassay Stabilizer（Advanced Biotechnologies Inc （ABI社））などの市販の安定化剤も使用可能である。
【０１３３】
第一の結合物質で修飾された、標識を有する第一の粒子は、本発明のキットに含まれており、キットの一部である容器、たとえばカップに含まれている態様が好ましい。この場合、プロゲステロンを含む生体試料を、標識を有する第一の粒子を含む容器に注入して混合および攪拌することにより、生体試料中のプロゲステロンと第一の結合物質とを結合させることができる。
【０１３４】
（第二の結合物質）
本発明における標識を有しない第二の粒子は、プロゲステロンと特異的な結合性を有しない第二の結合物質で修飾されている。第二の結合物質としては、例えば、結合物質（抗体）、あるいは結合物質（抗体）に対して結合するタンパク質（Protein A、Protein G）など、プロゲステロンと特異的な結合性を有しない化合物であり、かつ、第一の結合物質に対して親和性を有しない化合物であれば特に限定されず、いずれの化合物でも好ましく用いることができる。例えば、第二の結合物質が抗体である場合には、免疫された動物の血清から調製する抗血清、抗血清から精製された免疫グロブリン画分、免疫された動物の脾臓細胞を用いる細胞融合によって得られるモノクローナル抗体、あるいは、それらの断片［例えば、Ｆ（ａｂ’）２、Ｆａｂ、Ｆａｂ’、又はＦｖ］などを用いることができる。これらの抗体の調製は、常法により行なうことができる。さらに、その抗体がキメラ抗体などの場合のように、修飾を加えられたものでもよいし、また市販の抗体でも、動物血清や培養上清から公知の方法により調製した抗体でも使用可能である。
【０１３５】
抗体などの第二の結合物質を粒子に固定化する方法は、例えば、特開２０００−２０６１１５号公報やモレキュラープローブ社ＦｌｕｏＳｐｈｅｒｅｓ（登録商標）ポリスチレンマイクロスフィアＦ８８１３に添付のプロトコールなどに記載されており、免疫凝集反応用試薬を調製する公知の方法がいずれも使用可能である。また、結合物質として抗体を粒子に固定化する原理として、物理吸着及び共有結合による化学結合のいずれの原理も採用可能である。抗体を粒子に固定させた後に抗体が被覆されていない粒子表面を覆うブロッキング剤として、公知の物質、例えば、ＢＳＡやスキムミルク、カゼイン、大豆由来成分、魚由来成分、ポリエチレングリコールなどや、これらの物質やこれらと性質が同じである物質を含む市販の免疫反応用ブロッキング剤などが使用可能である。これらのブロッキング剤は、必要に応じて熱や酸・アルカリ等により部分変性などの前処理を施すことも可能である。
【０１３６】
（第一の粒子及び第二の粒子）
第一の粒子と第二の粒子の使用比率については、第一の粒子に対する第二の粒子の質量比が一般的には１〜２０であり、１〜１０であることが好ましく、２〜８であることがより好ましく、４〜６がさらに好ましい。
【０１３７】
本発明においては、第一の粒子の平均粒子径は５０〜２５０ｎｍであり、第二の粒子の平均粒子径は７０〜５００ｎｍであり、かつ第一の粒子の平均粒子径より第二の粒子の平均粒子径が大きい。
第一の粒子の平均粒子径は、好ましくは７０〜１３０ｎｍであり、より好ましくは８０〜１２０ｎｍであり、さらに好ましくは８５〜１１０ｎｍである。
第二の粒子の平均粒子径は、好ましくは１３０〜３００ｎｍであり、より好ましくは１３５〜２６０ｎｍであり、さらに好ましくは１４０〜２００ｎｍである。
【０１３８】
平均粒子径の測定方法としては、光学顕微鏡法、共焦点レーザー顕微鏡法、電子顕微鏡法、原子間力顕微鏡法、静的光散乱法、レーザー回折法、動的光散乱法、遠心沈降法、電気パルス計測法、クロマトグラフィー法、超音波減衰法等が知られており、それぞれの原理に対応した装置が市販されている。これらの測定方法のうち、粒子径範囲及び測定の容易さから、動的光散乱法を用いて蛍光粒子の平均粒径を測定することが好ましい。動的光散乱を用いた市販の測定装置としては、ナノトラックＵＰＡ（日機装（株））、動的光散乱式粒径分布測定装置ＬＢ−５５０（（株）堀場製作所）、濃厚系粒径アナライザーＦＰＡＲ−１０００（大塚電子（株））等が挙げられる。本発明では、平均粒径は、２５℃にて、粘度０．８８７２ＣＰ（但し、１Ｐａ・ｓ＝１０００ｃＰ）、水の屈折率１．３３０の条件で測定したメジアン径（ｄ＝５０）として求めるものとする。
【０１３９】
本発明で用いる第一の粒子（標識を有する粒子）及び第二の粒子は、乾燥状態で保存し、測定時にプロゲステロンを含む生体試料と混合することによって使用してもよい。第一の粒子及び第二の粒子を溶液状態で保存した場合、粒子同士が凝集や融着することにより大サイズ化し、測定精度が変化する場合があるので、このような場合には、第一の粒子及び第二の粒子は乾燥状態で保存することができる。乾燥状態で保存した粒子は、乾燥粒子とも言う。乾燥粒子とは、水分を含まない標識物質を含む粒子の固形分の質量に対する水分の質量（含水量）として、好ましくは３０質量％以下、より好ましくは２５質量％以下、更に好ましくは２０質量％以下の水分の質量になるまで、含有する水分量を除去した状態の粒子をいう。乾燥を行う手段としては特に制限はなく、例えば、除湿剤を使用した乾燥方法、減圧乾燥方法、凍結乾燥方法などの公知の乾燥手段を用いることができる。本発明においては、第一の粒子及び第二の粒子を別々に乾燥して乾燥粒子を得てもよいし、第一の粒子と第二の粒子を、溶液状態で所望の質量比で混合した後に乾燥して乾燥粒子を得てもよい。
【０１４０】
（流路）
本発明のキットは、第一の粒子及び第二の粒子を流すための流路を含む。本発明においては、プロゲステロンを含む可能性のある生体試料と、標識を有する第一の粒子と、標識を有しない第二の粒子とを混合した混合液を、基板上に適用し、流路に展開することができる。流路とは、生体試料と、標識を有する第一の粒子と、第二の粒子とを反応部位まで流下する通路であれば、特に制限はない。好ましい流路の態様としては、標識を有する第一の粒子及び第二の粒子を含む生体試料液を点着する点着口、第三の結合物質が固定化された反応部位としての金属薄膜、及び金属薄膜を超えて流路が存在し、生体試料が、金属薄膜上を通過できる構造を有するものである。好ましくは、金属薄膜に対して、点着口とは反対側に、吸引口を設けることができる。
【０１４１】
（基板）
本発明では、高感度な測定を達成するために、後述する表面プラズモン蛍光（ＳＰＦ）検出を行う測定法を採用することが好ましい。この場合における基板としては、表面に金属膜を有する基板を使用することが好ましい。金属膜を構成する金属としては、表面プラズモン共鳴が生じ得るようなものであれば特に限定されない。好ましくは金、銀、銅、アルミニウム、又は白金等の自由電子金属が挙げられ、特に金が好ましい。金を使用する場合、後記する検出領域は、金膜上にある。上記の金属は単独又は組み合わせて使用することができる。また、上記基板への付着性を考慮して、基板と金属からなる層との間にクロム等からなる介在層を設けてもよい。金属膜の膜厚は任意であるが、例えば、１ｎｍ以上５００ｎｍ以下であるのが好ましく、特に１０ｎｍ以上２００ｎｍ以下であるのが好ましい。５００ｎｍを超えると、媒質の表面プラズモン現象を十分検出することができない。また、クロム等からなる介在層を設ける場合、その介在層の厚さは、０．１ｎｍ以上、１０ｎｍ以下であることが好ましい。
【０１４２】
金属膜の形成は常法によって行えばよく、例えば、スパッタ法、蒸着法、イオンプレーティング法、電気めっき法、又は無電解めっき法等によって行うことができるが、基板材質と金属膜との混合層を設けて、金属膜の密着性を良くするためには、スパッタ法により金属膜を作製することが好ましい。この場合、基板材質と金属膜との混合層の厚さは十分な密着性が確保できれば特に制限はないが、１０ｎｍ以下が好ましい。
【０１４３】
金属膜は好ましくは基板上に配置されている。ここで、「基板上に配置される」とは、金属膜が基板上に直接接触するように配置されている場合のほか、金属膜が基板に直接接触することなく、他の層を介して配置されている場合をも含む。本発明で使用することができる基板の材質としては例えば、一般的な光学ガラスの一種であるＢＫ７（ホウ珪酸ガラス）等の光学ガラス、あるいは合成樹脂、具体的にはポリメチルメタクリレート、ポリエチレンテレフタレート、ポリカーボネート、又はシクロオレフィンポリマーなどのレーザー光に対して透明な材料からなるものが使用できる。このような基板は、好ましくは、偏光に対して異方性を示さずかつ加工性の優れた材料が望ましい。
【０１４４】
ＳＰＦ検出のための基板の好ましい態様としては、ポリメチルメタクリレート(ＰＭＭＡ)に金膜をスパッタ法等で形成した基板などを挙げることができる。
【０１４５】
基板は、第一の結合物質に対して結合性を有する物質を有する検出領域を備えている。
【０１４６】
第一の結合物質に対して結合性を有する物質を基板に固定化する方法は、例えば、Nunc社の提供するTech Notes Vol. 2-12などに記載されており、一般的なＥＬＩＳＡ（Enzyme-Linked ImmunoSorbent Assay：酵素結合免疫吸着法）試薬を調製する公知の方法がいずれも使用可能である。また、基板上に自己組織化単分子膜（ＳＡＭ：Self-Assembled Monolayer）などを配することによる表面修飾を施してもよい。第一の結合物質に対して結合性を有する物質を基板に固定化する原理としては、物理吸着及び共有結合による化学結合のいずれの原理も採用可能である。第一の結合物質に対して結合性を有する物質を基板に固定させた後に、第一の結合物質に対して結合性を有する物質が被覆されていない基板表面を覆うブロッキング剤として、公知の物質、例えば、ＢＳＡやスキムミルク、カゼイン、大豆由来成分、魚由来成分、ポリエチレングリコールなどや、これらの物質やこれらと性質が同じである物質を含む市販の免疫反応用ブロッキング剤などが使用可能である。これらのブロッキング剤は、必要に応じて熱や酸・アルカリ等により部分変性などの前処理を施すことも可能である。
【０１４７】
（検出領域＜テストエリア＞）
本発明においては、基板上に生体試料中のプロゲステロンの有無を検出するテストエリアを設けることができる。このテストエリアでは、抗原に結合した標識のみを結合できないようにし、抗原に結合していない標識のみを捕獲して、抗原の結合した標識の量を算出する方法により、抗原を定量することが可能となる。この検出方法は競合法と呼ばれているが、ここでは、競合法に関する基板について説明する。
【０１４８】
基板のテストエリアには、標識粒子上に存在する結合物質（例えば抗体）と反応するサイトを有することが好ましい。本発明の好ましい一態様としては、生体試料中に存在するプロゲステロンを、基板のテストエリア上に有する態様が好ましい。この場合、プロゲステロンとＢＳＡを縮合剤の存在下で反応させて、プロゲステロン・ＢＳＡ結合体を作製し、この結合体をテストエリア上に吸着させることでテストエリアを作製することが可能となる。測定対象物質であるプロゲステロン−ＢＳＡ結合体は、緩衝液に溶解させて、基板上に点着して、一定時間放置した後、上清を吸引し、乾燥させるなどの方法で基板上のテストエリアに結合させることが可能である。
【０１４９】
（参照領域＜コントロールエリア＞）
本発明では、測定環境、特に測定温度の影響を極力抑えるために、基板上にコントロールエリアを有し、テストエリアの情報を、コントロールエリアの情報で規格化することによって、環境依存性を非常に低く抑えることが可能となる。コントロールエリアとしては、使用する生体試料の中に存在するプロゲステロンの量に依存せず、すべての標識と結合することが可能なように設計されていることが好ましい。標識粒子上に存在する抗体すべてに相互作用する抗体を有することが好ましい。このように設計することによって、テストエリアの情報をコントロールエリアの情報で規格化することにより、例えば、低温環境で、生体試料の流れや、反応速度が影響を受けた場合でも、規格化によってその影響をキャンセルして、常に精度よく、測定環境に影響されない結果を得ることが可能になる。
【０１５０】
コントロールエリアに存在させる好ましい抗体としては、標識粒子上に存在する結合物質（例えば、抗体）を認識する機能をもち、その抗体がマウス由来であれば、抗マウス抗体であることが好ましく、標識粒子上の抗体が、ヤギ由来であれば、抗ヤギ抗体であることが好ましい。これらコントロールエリア上の抗体は、緩衝液に溶解させて、基板上に点着して、一定時間放置した後、上清を吸引し、乾燥させるなどの方法で基板に結合させることが可能である。
【０１５１】
（ブロッキング剤）
例えば、競合法において、プロゲステロンを含まない陰性となる生体試料だけでなく、プロゲステロンを含む陽性となる生体試料に対しても反応して陰性となる生体試料が存在しており、高値乖離の問題の解決が課題として認識されている。このような擬陰性を示す原因は明確にはなっていないが、抗体に覆われていない標識粒子表面と、検出領域（テストエリア）との非特異的な相互作用により、本来結合してほしくない標識粒子が存在することが原因の一つではないかと考えられている。また、テストエリア上に存在する物質と同じ物質が標識粒子表面上に存在する場合にも、遊離した抗体などが生体試料中に存在する場合には、その抗体が、テストエリア上に存在する物質と、標識粒子表面上の物質のどちらにも結合することで、プロゲステロンを含む陽性となる生体試料を測定した場合においても陰性として検出される場合がある。
一般的に、固相表面（例えば標識粒子表面、基板の金膜表面）への非特異吸着抑制のためにＢＳＡでのブロッキングが用いられている。
【０１５２】
（抗体）
本発明において、抗体は、その動物種やサブクラス等によらず使用できる。例えば、本発明に用いることが可能な抗体は、マウス、ラット、ハムスター、ヤギ、ウサギ、ヒツジ、ウシ、ニワトリなど免疫反応が起こり得る生物に由来する抗体、具体的には、マウスＩｇＧ、マウスＩｇＭ、ラットＩｇＧ、ラットＩｇＭ、ハムスターＩｇＧ、ハムスターＩｇＭ、ウサギＩｇＧ、ウサギＩｇＭ、ヤギＩｇＧ、ヤギＩｇＭ、ヒツジＩｇＧ、ヒツジＩｇＭ、ウシＩｇＧ、ウシＩｇＭ、トリＩｇＹ等であり、ポリクローナル又はモノクローナルのどちらも使用可能である。断片化抗体は、少なくとも１つの抗原結合部位を持つ、完全型抗体から導かれた分子であり、具体的にはＦ（ａｂ’）２、Ｆａｂ、Ｆａｂ’、又はＦｖ等である。これらの断片化抗体は、酵素あるいは化学的処理によって、もしくは遺伝子工学的手法を用いて得られる分子である。
【０１５３】
（キットの他の要素）
本発明のキットは、プロゲステロンを測定する方法に用いられるものである。本発明のキットは、標識を有する第一の粒子と、標識を有しない第二の粒子とを含み、さらに第一の粒子及び第二の粒子を流すための流路と、第一の結合物質に対して結合性を有する物質を有する基板とを含むセンサチップを含む。本発明のキットにはさらに、表面プラズモン励起装置、及び蛍光測定デバイスなどの、プロゲステロンの測定に使用される各種の器材又は装置を含めてもよい。さらに、キットの要素として、既知量のプロゲステロンを含む試料、取扱説明書などを含めてもよい。
【０１５４】
［プロゲステロンの測定方法］
さらに本発明によれば、
（ｉ）（ａ）プロゲステロンと特異的な結合性を有する第一の結合物質で修飾された、標識を有する第一の粒子と、
（ｂ）プロゲステロンと特異的な結合性を有しない第二の結合物質で修飾された、標識を有しない第二の粒子と、
（ｃ）プロゲステロンを含む被検試料と、
を混合して、混合物を得る工程と、
（ｉｉ）工程（ｉ）で得た混合物を、基板上に適用する工程と、
（ｉｉｉ）第一の結合物質に対して結合性を有する物質を有する、基板上の反応部位において、第一の結合物質を捕捉する工程と、
（ｉｖ）反応部位上に捕捉された第一の結合物質で修飾された、標識を有する第一の粒子を検出する工程と、
を含むプロゲステロンの測定方法であって、
標識を有する第一の粒子は、本明細書に記載した式（１）で示される少なくとも一種の化合物と粒子とを含有し、
第一の粒子の平均粒子径が５０〜２５０ｎｍであり、第二の粒子の平均粒子径が７０〜５００ｎｍであり、かつ第一の粒子の平均粒子径より第二の粒子の平均粒子径が大きい、
プロゲステロンの測定方法が提供される。
【０１５５】
本発明においては、反応部位上に捕捉された第一の結合物質で修飾された、標識を有する第一の粒子を検出することにより、プロゲステロンを測定する。
本発明における測定は、プロゲステロンの量の測定である限り、最も広い概念として解釈される。測定方法の具体的な実施態様としては、競合法が好ましい。
【０１５６】
プロゲステロンを定量する場合を以下に説明する。
競合法では、先ず、プロゲステロン・アルブミン結合体が固定化されているプロゲステロン免疫測定用基板に、プロゲステロンを含む生体試料及び抗プロゲステロン抗体標識蛍光粒子を接触させる。その生体試料中にプロゲステロンが存在しない場合には、抗プロゲステロン抗体標識蛍光粒子と、基板上のプロゲステロン（即ち、プロゲステロン・アルブミン結合体中のプロゲステロン）とにより、基板上で抗原抗体反応が起こる。一方、生体試料中にプロゲステロンが存在する場合には、生体試料中のプロゲステロンと抗プロゲステロン抗体標識蛍光粒子との間で抗原抗体反応が起こり、抗プロゲステロン抗体標識蛍光粒子と、基板上のプロゲステロン（即ち、プロゲステロン・アルブミン結合体中の胆汁酸）との間の抗原抗体反応が阻害される。上記の反応が終了した後、基板上のアルブミンに結合しなかった抗プロゲステロン抗体標識蛍光粒子を除去する。次いで基板上の免疫複合体（即ち、抗プロゲステロン抗体標識蛍光粒子と、基板上のプロゲステロン・アルブミン結合体中のプロゲステロンとの複合体）の形成の度合いを蛍光強度として検出することにより、生体試料中のプロゲステロンの濃度などを測定することができる。
【０１５７】
競合法における蛍光の測定形態は、プレートリーダー測定、あるいはフロー測定のいずれかの測定を採用することが可能であり、例えば、以下の方法により測定することができる。予め、プロゲステロン濃度が異なるプロゲステロン量既知の試料を複数用意し、この試料及び抗プロゲステロン抗体標識蛍光粒子を予め混合する。この混合液を、プロゲステロン・アルブミン結合体が固定化されている領域に接触させる。プロゲステロン・アルブミン結合体が固定化されている領域からの蛍光信号を、特定の時間間隔で混合液が結合体に接触している間、複数の蛍光信号として測定する。この複数の蛍光信号から、各プロゲステロン濃度において、蛍光量の時間変化（傾き）を求める。この時間変化をＹ軸、プロゲステロン濃度をＸ軸としてプロットし、最小二乗法等の適宜ふさわしいフィッティング方法を用いて、蛍光量の時間変化に対するプロゲステロン濃度の関係式を取得する。このように取得した関係式に基づき、検査目的とする生体試料を用いた蛍光量の時間変化の結果を用いて、生体試料に含まれるプロゲステロン量を定量することができる。
【０１５８】
このプロゲステロン量の定量は、短時間で行うことが好ましい。具体的には、１０分以内に行われることが好ましく、８分以内がより好ましく、更には６分以内で行われることが好ましい。この定量時間には、最小二乗法等の適宜ふさわしいフィッティング方法を用いて予め取得した蛍光量の時間変化とプロゲステロン濃度との関係式を利用して、試料及び抗プロゲステロン抗体標識蛍光粒子を、プロゲステロン・アルブミン結合体が固定化されている検出領域に接触させてから、検査目的とする生体試料を用いた蛍光量の時間変化の結果を基に生体試料に含まれるプロゲステロン量を換算する時間が含まれていることが好ましい。
【０１５９】
（表面プラズモン蛍光測定）
本発明における蛍光などの標識の検出方法としては、特に限定されないが、例えば、蛍光強度を検出することができる機器、具体的には、マイクロプレートリーダー、又は表面プラズモン励起による蛍光検出（ＳＰＦ）を行うためのバイオセンサーなどを用いて蛍光強度を検出することが好ましい。好ましくは、表面プラズモン共鳴による蛍光検出により、プロゲステロンの量に関連した標識情報を取得することができる。
【０１６０】
なお、蛍光の測定の形態は、プレートリーダー測定でもよいし、フロー測定でもよい。表面プラズモン励起による蛍光検出法（ＳＰＦ法）は、落射励起による蛍光検出法（落射蛍光法）よりも高感度に測定することができる。
【０１６１】
表面プラズモン蛍光（ＳＰＦ）バイオセンサーとしては、例えば、特開２００８−２４９３６１号公報に記載されているような、所定波長の励起光を透過させる材料から形成された光導波路と、この光導波路の一表面に形成された金属膜と、光ビームを発生させる光源と、上記光ビームを光導波路に通し、上記光導波路と金属膜との界面に対して表面プラズモンを発生させる入射角で入射させる光学系と、上記表面プラズモンによって増強されたエバネッセント波によって励起されることによって発生する蛍光を検出する蛍光検出手段とを備えたセンサーを用いることができる。
【０１６２】
本発明の蛍光粒子を用いた表面プラズモン励起による蛍光検出（ＳＰＦ）系は、好ましくは、基板上の金属膜上に固定化されたプロゲステロンの量に依存した蛍光物質からの蛍光を検出するアッセイ方法であり、例えば、溶液中での反応の進行により、光学的な透明度の変化を濁度として検出する、いわゆるラテックス凝集法とは異なる方法である。ラテックス凝集法は、ラテックス試薬中の抗体感作ラテックスと生体試料中の抗原が、抗体反応により結合し凝集する。この凝集塊は時間と共に増大し、この凝集塊に近赤外光を照射して得られた単位時間当たりの吸光度変化から、抗原濃度を定量化する方法である。本発明では、ラテックス凝集法に比べて、非常に簡便なプロゲステロンの検出方法を提供できる。
【０１６３】
（規格化）
さらに本発明の方法は、標識粒子の量に関連した標識情報を取得する、標識粒子関連標識情報取得工程；及びプロゲステロンの量に関連した標識情報を取得するプロゲステロン関連標識情報取得工程で取得した標識情報を、標識粒子関連標識情報取得工程で取得した標識情報により規格化する、規格化工程を含む方法でもよい。
【０１６４】
ここで、生体試料と、プロゲステロンと結合性を有する第一の結合物質を有する標識粒子とを含む混合液を、検出領域（テストエリア）と参照領域（コントロールエリア）とを有する基板に接触させて検出領域と参照領域上に表面プラズモンを発生させ、放出された蛍光の強度を測定する工程のうち、検出領域上で発生する表面プラズモンによる蛍光の強度を測定する工程が、プロゲステロンの量に関連した標識情報を取得するプロゲステロン関連標識情報取得工程であり、参照領域上で発生する表面プラズモンによる蛍光の強度を測定する工程が、標識粒子関連標識情報取得工程である。この２つの工程で取得した蛍光強度の単位時間における増加速度を蛍光シグナル値の変化率として求め、検出領域のシグナル値の変化率を参照領域のシグナル値の変化率で除する工程が規格化工程である。
【０１６５】
［プロゲステロン測定試薬］
さらに本発明によれば、（ａ）プロゲステロンと特異的な結合性を有する第一の結合物質で修飾された、標識を有する第一の粒子と、（ｂ）プロゲステロンと特異的な結合性を有しない第二の結合物質で修飾された、標識を有しない第二の粒子とを含む、プロゲステロン測定試薬であって、上記の標識を有する第一の粒子は、本明細書に記載した式（１）で示される少なくとも一種の化合物と粒子とを含有し、上記第一の粒子の平均粒子径が５０〜２５０ｎｍであり、上記第二の粒子の平均粒子径が７０〜５００ｎｍであり、かつ上記第一の粒子の平均粒子径より上記第二の粒子の平均粒子径が大きい、プロゲステロン測定試薬が提供される。
上記したプロゲステロン測定試薬を用いて、本発明によるプロゲステロンの測定方法を実施することができる。
【０１６６】
以下に、本発明の実施例を挙げて本発明をさらに具体的に説明する。なお、以下の実施例に示される材料、使用量、割合、処理内容、処理手順等は、本発明の趣旨を逸脱しない限り適宜変更することができる。したがって、本発明の範囲は以下に示す具体例により限定的に解釈されるべきものではない。
【実施例】
【０１６７】
＜１＞ラテックス粒子の調製
＜１−１＞平均粒子径３０３ｎｍラテックス粒子の調製
スチレン（和光純薬社製）３０ｇ（２８８ｍｍｏｌ）とアクリル酸（和光純薬社製）１ｇ（１２ｍｍｏｌ）を超純水３３０ｍＬに懸濁させ、８５℃に昇温し、過硫酸カリウム（ＫＰＳ）（和光純薬社製）１ｇを２５ｍＬに溶解させた水溶液を添加し、８５℃、２５０ｒｐｍで６時間攪拌した。その後、１０，０００ｒｐｍで６時間遠心分離を３回行い、ラテックス粒子を得た。最後に、得られたラテックス粒子を超純水に再分散させた。固形分濃度が１質量％となるように、純水を添加して希釈液を調製した。粒径アナライザーＦＰＡＲ−１０００（大塚電子（株））を用いて、温度２５℃で測定したメジアン径（ｄ＝５０）として求めたところ、ラテックス粒子の平均粒子径は３０３ｎｍであった。  【０１６８】
＜１−２＞平均粒子径２２０ｎｍラテックス粒子の調製
スチレン（和光純薬社製）３０ｇ（２８８ｍｍｏｌ）とアクリル酸（和光純薬社製）２ｇ（２４ｍｍｏｌ）を超純水３３０ｍＬに懸濁させ、８５℃に昇温し、過硫酸カリウム（ＫＰＳ）（和光純薬社製）１ｇを２５ｍＬに溶解させた水溶液を添加し、８５℃、２５０ｒｐｍで６時間攪拌した。その後、１０，０００ｒｐｍで６時間遠心分離を３回行い、ラテックス粒子を得た。最後に、得られたラテックス粒子を超純水に再分散させた。固形分濃度が１質量％となるように、純水を添加して希釈液を調製した。粒径アナライザーＦＰＡＲ−１０００（大塚電子（株））を用いて、温度２５℃で測定したメジアン径（ｄ＝５０）として求めたところ、ラテックス粒子の平均粒子径は２２０ｎｍであった。【０１６９】
＜１−３＞平均粒子径１５１ｎｍラテックス粒子の調製
スチレン（和光純薬社製）３０ｇ（２８８ｍｍｏｌ）とアクリル酸（和光純薬社製）３ｇ（４２ｍｍｏｌ）を超純水４４０ｍＬに懸濁させ、９５℃に昇温し、過硫酸カリウム（ＫＰＳ）（和光純薬社製）１ｇを１０ｍＬに溶解させた水溶液を添加し、９５℃、２５０ｒｐｍで６時間攪拌した。その後、１０，０００ｒｐｍで６時間遠心分離を３回行い、ラテックス粒子を得た。最後に、得られたラテックス粒子を超純水に再分散させた。固形分濃度が１質量％となるように、純水を添加して希釈液を調製した。粒径アナライザーＦＰＡＲ−１０００（大塚電子（株））を用いて、温度２５℃で測定したメジアン径（ｄ＝５０）として求めたところ、ラテックス粒子の平均粒子径は１５１ｎｍであった。【０１７０】
＜１−４＞平均粒子径１２９、１００、７２ｎｍラテックス粒子の調製
平均粒子径１５１ｎｍのラテックス粒子の調製において、昇温時の温度を適宜調整することで、平均粒子径１２９、１００、７２ｎｍのラテックス粒子を調製した。平均粒子径は＜１−１＞と同様に測定した。【０１７１】
＜２＞比較用蛍光ラテックス粒子の調製
上記のように作製したラテックス粒子の固形分濃度２質量％の水分散液１００ｍＬにメタノール１００ｍＬを加え、１０分間、室温で攪拌した。一方、別途用意した蛍光色素（比較化合物：特許３４４２７７７号公報記載の化合物５）を６０分間かけてゆっくりラテックス溶液に滴下した。滴下完了後、エバポレーターで有機溶媒を減圧留去した後、遠心分離とＰＢＳ水溶液への再分散を３回繰り返し、精製を行うことで、平均粒子径が、３０２ｎｍ、２１８ｎｍ、１５０ｎｍ、１３２ｎｍ、９８ｎｍ、７１ｎｍの６種類の比較用蛍光ラテックス粒子を調製した。【０１７２】
＜３＞抗プロゲステロン抗体で修飾した比較用蛍光ラテックス粒子の調製  
抗プロゲステロン抗体で修飾した蛍光粒子を、以下の通り調製した。
＜２＞で調製した平均粒子径１５０ｎｍの２質量％（固形分濃度）蛍光ラテックス粒子水溶液を３７５μＬ準備し、５０ｍｍｏｌ／ＬのＭＥＳ（２−モルホリノエタノスルホン酸、同仁化学研究所社製）緩衝液（ｐＨ６．０）を１１７μＬ、１０ｍｇ／ｍＬの水溶性カルボジイミド（ｗａｔｅｒ  ｓｏｌｕｂｌｅ  ｃａｒｂｏｄｉｉｍｉｄｅ：ＷＳＣ）水溶液を５μＬ加え、室温で１５分間攪拌した。その後、０．５ｍｇ／ｍＬの抗プロゲステロンモノクローナル抗体（ＧｅｎｅＴｅｘ社製）を１８２．４μＬ添加し、室温で１．５時間撹拌した。２ｍｏｌ／ＬのＧｌｙｃｉｎｅ（和光純薬社製）水溶液を３７．５μＬ添加し、１５分間撹拌した後、遠心分離（１５，０００ｒｐｍ、４℃、３０分）にて、蛍光ラテックス粒子を沈降させた。上清液を取り除き、ＰＢＳ（Ｐｈｏｓｐｈａｔｅ  Ｂｕｆｆｅｒｅｄ  Ｓａｌｉｎｅ  リン酸緩衝生理食塩水；和光純薬社製）溶液（ｐＨ７．４）を７５０μＬ加え、超音波洗浄機により蛍光ラテックス粒子を再分散させた。さらに遠心分離（１５，０００ｒｐｍ、４℃、１５分）を行い、上清液を除いた後、１質量％ＢＳＡを含むＰＢＳ（ｐＨ７．４）溶液７５０μＬを加え、蛍光ラテックス粒子を再分散させることで、抗プロゲステロン抗体結合蛍光ラテックス粒子の１質量％溶液を得た。平均粒子径３０３ｎｍ、２２０ｎｍ、１２９ｎｍ、１００ｎｍ、７２ｎｍの蛍光ラテックス粒子のプロゲステロン抗体修飾も同様に行った。【０１７３】
＜４＞蛍光標識を有しないラテックス粒子の調製
抗Ｔ４抗体で修飾したラテックス粒子を、以下の通り調製した。
＜１−３＞で調製した平均粒子径１５１ｎｍの２質量％（固形分濃度）ラテックス粒子水溶液２５０μＬに、５０ｍｍｏｌ／ＬのＭＥＳバッファー（ｐＨ６．０）溶液２５０μＬを加え、５ｍｇ／ｍＬの抗Ｔ４モノクローナル抗体（Ｍｅｄｉｘ社Ａｎｔｉ−Ｔｈｙｒｏｘｉｎｅモノクローナル抗体（６９０１））１００μＬを添加し、室温で１５分間攪拌した。その後、１０ｍｇ／ｍＬの１−エチル−３−（３−ジメチルアミノプロピル）カルボジイミド（ＥＤＣ）水溶液を５μＬ加え、室温で２時間撹拌した。２ｍｏｌ／ＬのＧｌｙｃｉｎｅ（和光純薬社製）水溶液を２５μＬ添加して３０分間撹拌した後、遠心分離（１５，０００ｒｐｍ、４℃、１５分）を行い、ラテックス粒子を沈降させた。その後上清を取り除き、ＰＢＳ溶液（ｐＨ７．４）を５００μＬ加え、超音波洗浄機によりラテックス粒子を再分散させた。再度、遠心分離（１５，０００ｒｐｍ、４℃、１５分）を行って上清を除いた後、１質量％ＢＳＡを含むＰＢＳ（ｐＨ７．４）溶液５００μＬを加えて、ラテックス粒子を再分散させることで、抗Ｔ４抗体結合ラテックス粒子の１質量％溶液を調製した。その他の粒子径（３０２ｎｍ、２１８ｎｍ、１３２ｎｍ、９８ｎｍ、７１ｎｍ）のラテックス粒子の抗Ｔ４抗体修飾も同様に行った。【０１７４】
同様にして、抗ｈＣＧ抗体（Ｍｅｄｉｘ社Ａｎｔｉ−ｈＣＧ  ｂｅｔａモノクローナル抗体（５００８））を用いて、それぞれの平均粒子径のラテックス粒子に対して抗ｈＣＧ抗体修飾を行った。
無標識粒子のマウス抗体の種類の表記として、抗Ｔ４抗体を１、抗ｈＣＧ抗体を２とし、下記の表３に記載した。【０１７５】
＜５＞高輝度蛍光ラテックス粒子の作製
＜５−１＞化合物の合成
用語は以下の意味を示す。
ＭＳ：質量分析 (ｍａｓｓ  ｓｐｅｃｔｒｏｍｅｔｒｙ)
ＥＳＩ：エレクトロスプレーイオン化（ｅｌｅｃｔｒｏｓｐｒａｙ  ｉｏｎｉｚａｔｉｏｎ）
ＮＭＲ：核磁気共鳴（ｎｕｃｌｅａｒ  ｍａｇｎｅｔｉｃ  ｒｅｓｏｎａｎｃｅ）
ｒｔ：室温
Ｅｔ：エチル基
ＰＬ：フォトルミネッセンス
ＴＨＦ：テトラヒドロフラン【０１７６】
＜＜化合物（１）の合成＞＞
【化３８】
0006936383.tif 000041
【０１７７】
化合物（１−Ａ）の合成
１００ｍＬ三ツ口フラスコに、窒素雰囲気下、３，５−ビス（トリフルオロメチル）ベンズアルデヒド１．００ｇ及びジクロロメタン２０ｍＬを導入し、室温で撹拌した。水冷しながら３−エチル−２，４−ジメチルピロール０．９８ｇを滴下し、続いて、トリフルオロ酢酸を２滴加えた後、室温で３０分間撹拌した。水冷しながらクロラニル１．０ｇを加え、室温で１０分間撹拌した後、水冷しながらジイソプロピルエチルアミン（ＮiＰｒ2Ｅｔ）３．６７ｇを滴下し、室温で１５分間撹拌した。続いて、水冷しながら三フッ化ホウ素ジエチルエーテル錯体５．６ｍＬを滴下し、室温で３０分間撹拌した。飽和炭酸水素ナトリウム及びトルエンを滴下し、抽出・分液して得られた有機層を無水硫酸ナトリウムで予備乾燥した後、減圧濃縮した。この粗生成物をシリカゲルカラムクロマトグラフィー（展開溶媒：ヘキサン／酢酸エチル）で精製した後、メタノールで再結晶することにより、化合物（１−Ａ）を１．２８ｇ得た。
１Ｈ  ＮＭＲ（ＣＤＣｌ３，４００ＭＨｚ）：δ  ８．０３（ｓ，１Ｈ），７．８３（ｓ，２Ｈ），２．５４（ｓ，６Ｈ），２．３１（ｑ，Ｊ＝７．６Ｈｚ，４Ｈ），１．２１（ｓ，６Ｈ），１．００（ｔ，Ｊ＝７．６Ｈｚ，６Ｈ）．【０１７８】
化合物（１）の合成
１００ｍＬ三ツ口フラスコに、化合物（１−Ａ）１００ｍｇ、２，４，６−トリメチルベンズアルデヒド１１５ｍｇ、及び脱水トルエン５ｍＬを導入し、室温で撹拌した。ピペリジン１ｍＬ及びｐ−トルエンスルホン酸１水和物（和光純薬工業（株）社製、試薬特級）１片を加えて１４０℃で溶媒を留去しながら１時間撹拌し、放冷後に脱水トルエン５ｍＬを加えて１４０℃で溶媒を留去しながら１時間撹拌した。反応液を減圧濃縮して得られた粗生成物を分取ＴＬＣ（展開溶媒：ヘキサン／酢酸エチル）で精製した後、メタノールで再結晶することにより、化合物（１）を７１ｍｇ得た。化合物の同定は、1Ｈ−ＮＭＲとＥＳＩ−ＭＳにより行った。
１Ｈ  ＮＭＲ（ＣＤＣｌ３，４００ＭＨｚ）：δ  ８．０６（ｓ，１Ｈ），７．８７（ｓ，２Ｈ），７，３８（ｄ，Ｊ＝１７．２Ｈｚ，２Ｈ），７，３２（ｄ，Ｊ＝１７．２Ｈｚ，２Ｈ），６．９３（ｓ，４Ｈ），２．６３（ｑ，Ｊ＝７．６Ｈｚ，４Ｈ），２．４４（ｓ，１２Ｈ），２．３０（ｓ，６Ｈ），１．２７（ｓ，６Ｈ），１．１７（ｔ，Ｊ＝７．６Ｈｚ，６Ｈ）．
ＥＳＩ−ＭＳ：［Ｍ−Ｈ］-＝７７５．８【０１７９】
＜化合物（５）の合成＞
【化３９】
0006936383.tif 000042
【０１８０】
化合物（５−Ａ）の合成
５００ｍＬ三ツ口フラスコに、窒素雰囲気下、２，４−ジメチルピロール１．１６ｍｌ及びジクロロメタン１４０ｍＬを導入し、室温で撹拌した。２，３，５，６−テトラフルオロベンズアルデヒド１．０ｇ、トリフルオロ酢酸１滴を加えた後、室温で１５分間撹拌した。クロラニル（Chloranil）１．３８ｇを加え、室温で１５分間撹拌した後、水冷しながらジイソプロピルエチルアミン（ＮiＰｒ2Ｅｔ）６．８ｍＬを滴下し、室温で２０分間撹拌した。続いて、水冷しながら三フッ化ホウ素ジエチルエーテル錯体（ＢＦ3・Ｅｔ2Ｏ）７．８ｍＬを滴下し、室温で３０分間撹拌した。飽和炭酸水素ナトリウム４００ｍＬを滴下し、ジクロロメタンで抽出・分液して得られた有機層を無水硫酸ナトリウムで予備乾燥した後、減圧濃縮した。この粗生成物をシリカゲルカラムクロマグラフィー（展開溶媒：ヘキサン／酢酸エチル）で精製した後、メタノールで再結晶することにより、化合物（５−Ａ）を３６０ｍｇ得た。【０１８１】
化合物（５−Ｂ）の合成
【化４０】
0006936383.tif 000043
【０１８２】
３００ｍＬ三ツ口フラスコに、化合物（５−Ａ）を３００ｍｇ、及び１，１，１，３，３，３−ヘキサフルオロ−２−プロパノール８ｍＬを導入し、室温で撹拌した。Ｎ−ヨードスクシンイミド４０９ｍｇを導入し、室温で１時間半撹拌した。反応液を減圧濃縮した後、塩化メチレン４０ｍＬを加え、抽出・分液して得られた有機層を無水硫酸ナトリウムで予備乾燥した後、ろ過を施し減圧濃縮した。この粗生成物にエタノールを加えて分散洗浄及びろ過を施すことにより、化合物（５−Ｂ）を３８２ｍｇ得た。【０１８３】
化合物（５−Ｃ）の合成
【化４１】
0006936383.tif 000044
【０１８４】
１００ｍＬ三ツ口フラスコに、化合物（５−Ｂ）を２７８ｍｇ、２，４，６−トリメチルフェニルボロン酸５６４ｍｇ、フッ化セシウム６５３ｍｇ、及びメトキシシクロペンタン４３ｍＬを導入し、室温で撹拌しながら、減圧脱気後、窒素雰囲気にした。ここに、ＳＰｈｏｓ  Ｐｄ  Ｇ３（Ａｌｄｒｉｃｈ製）２６９ｍｇを加え、１時間加熱還流した。酢酸エチル２５０ｍＬを加え、抽出・分液して得られた有機層を無水硫酸ナトリウムで予備乾燥した後、減圧濃縮した。この組成物をシリカゲルカラムクロマトグラフィー（展開溶媒：ヘキサン／酢酸エチル）で精製した後、ジクロロメタン５ｍｌに溶解させ、さらにメタノール１５ｍｌを加えた後にジクロロメタンを留去し、再沈殿させた。沈殿物をろ過し、化合物（５−Ｃ）２０６ｍｇを得た。【０１８５】
化合物（５）の合成
【化４２】
0006936383.tif 000045
【０１８６】
１００ｍＬ三ツ口フラスコに、化合物（５−Ｃ）を５０ｍｇ、トルエン５ｍｌ、２，４，６−トリメチルベンズアルデヒド４６μｌ、ピペリジン４００μｌ、ｐ−トルエンスルホン酸１片を導入し、窒素下で１時間加熱還流した。２，４，６−トリメチルベンズアルデヒド４６μｌを追添して１時間加熱還流させた後、ピペリジン２００μｌを追添してさらに１時間加熱還流させた。反応終了後、減圧濃縮し、この粗生成物をシリカゲルカラムクロマトグラフィー（展開溶媒：ヘキサン／トルエン）で精製した後、ジクロロメタン３ｍｌに溶解させ、メタノール１５ｍｌを加えた後にジクロロメタンを留去し、再沈殿させることにより、化合物（５）を１６ｍｇ得た。化合物の同定は、1Ｈ−ＮＭＲとＥＳＩ−ＭＳにより行った。
1Ｈ  ＮＭＲ（ＣＤＣｌ3，４００ＭＨｚ）：δ  ７．４３（ｓ，１Ｈ），７．３９（ｓ，１Ｈ），７．２９−７．２１（ｍ，１Ｈ），６．９４（ｓ，４Ｈ），６．８０（ｓ，４Ｈ），６．６９（ｓ，１Ｈ），６．６５（ｓ，１Ｈ），２．２９（ｓ，６Ｈ），２．２３（ｓ，６Ｈ），２．０８（ｓ，１２Ｈ），２．０３（ｓ，１２Ｈ），１．３３（ｓ，６Ｈ）．
ＥＳＩ−ＭＳ：［Ｍ−Ｈ］-＝８９１．４【０１８７】
＜５−２＞高輝度蛍光ラテックス粒子の作製
＜１−３＞で調製した固形分濃度が２質量％の平均粒子径１５１ｎｍのラテックス粒子分散液（ラテックス分散液２５ｍＬ、固形分５００ｍｇ）に対してＴＨＦ（５ｍＬ）を滴下して１０分攪拌した。そこに、化合物（５）４８μｍｏｌ/ｇを含むＴＨＦ溶液（２．５ｍＬ）を１５分間かけて滴下した。そこに化合物（１）４８μｍｏｌ/ｇを含むＴＨＦ溶液（２．５ｍＬ）を１５分間かけて滴下した。化合物の滴下終了後、３０分攪拌した後、減圧濃縮してＴＨＦを除去した。その後、遠心分離して粒子を沈殿させた後、超純水を加えて再度分散させることで固形分濃度２質量％の高輝度蛍光ラテックス粒子の分散液を調製した。また、化合物（１）の代わりに化合物（５）を用いて同様の操作を行い、化合物（５）を含む固形分濃度２質量％の高輝度蛍光ラテックス分散液を調製した。
さらに、化合物（１）２４μｍｏｌ/ｇと化合物（５）１２μｍｏｌ/ｇを混合したものを用いて同様の操作を行い、化合物（１）と化合物（５）を含む固形分濃度２質量％の高輝度蛍光ラテックス分散液を調製した。【０１８８】
その他の平均粒子径（３０３ｎｍ、２２０ｎｍ、１２９ｎｍ、１００ｎｍ、７２ｎｍ）のラテックス粒子についても同様の操作を行い、化合物（１）のみ、化合物（５）のみ、及び、化合物（１）と化合物（５）を同時に含む固形分濃度２質量％の高輝度蛍光ラテックス分散液をそれぞれ調製した。【０１８９】
＜５−３＞抗プロゲステロン抗体で修飾した高輝度蛍光ラテックス粒子の調製  
＜５−２＞で調製した固形分濃度が２質量％の高輝度蛍光ラテックス粒子それぞれを用いて＜３＞と同様の作業を実施し、平均粒子径３０３ｎｍ、２２０ｎｍ、１５１ｎｍ、１２９ｎｍ、１００ｎｍ、７２ｎｍの抗プロゲステロン抗体結合高輝度蛍光ラテックス粒子の１質量％溶液を調製した。【０１９０】
＜６＞蛍光標識粒子と、蛍光標識をしない粒子の乾燥粒子の作製
超純水２８０μＬ、１２．５質量％スクロース水溶液４２７μＬ、２０質量％ＢＳＡ水溶液１３３μＬ、１質量％抗プロゲステロン抗体修飾蛍光ラテックス粒子（平均粒子径１５０ｎｍ）８０μＬ、１質量％抗Ｔ４抗体修飾ラテックス粒子（平均粒子径１５０ｎｍ）８０μＬを混合した。ポリプロピレン（プライムポリマー社製、プライムポリプロ  ランダムＰＰグレード）を基体としたカップを準備し、１５μＬ点着した。その後、スーパードライ乾燥機（ＴＯＹＯリビング社、ウルトラスーパードライ００シリーズ）を用いて、１２時間かけて含水量を２５質量％以下となるまで乾燥させ、乾燥粒子を作製した。他の実験水準に使用した乾燥粒子については、ラテックス粒子の平均粒子径、および抗プロゲステロン抗体修飾蛍光ラテックス粒子と、抗Ｔ４抗体修飾ラテックス粒子の使用する質量比率を表３に示すように適宜変更して、乾燥粒子を作製した。【０１９１】
＜７＞基板の作製
＜７−１＞プロゲステロン−ＢＳＡ結合体のクエン酸緩衝液の溶液の調製
プロゲステロン−ＢＳＡ結合体（ＢＩＯ−ＲＡＤ社製）１５０μｇを、５０ｍｍｏｌ／Ｌ濃度のクエン酸緩衝液１ｍＬ（ｐＨ５．２、１５０ｍｍｏｌ／Ｌ  ＮａＣｌ）に添加して溶解させ、クエン酸緩衝液の溶液を得た。【０１９２】
＜７−２＞抗マウス抗体の作製
マウス由来のグロブリン（ＬＡＭＰＩＲＥ  Ｂｉｏｌｏｇｉｃａｌ  Ｌａｂｏｒａｔｏｒｉｅｓ社製、カタログ番号７４０４３０２、Ｍｏｕｓｅ  Ｇａｍｍａ  Ｇｌｏｂｕｌｉｎ  Ｓａｌｔ  Ｆｒａｃｔｉｏｎａｔｉｏｎ、５００ｍｇ）を準備し、完全フロイントアジュバント（ＣＦＡ）と混合したエマルジョンを初回投与し、２〜４回目の免疫には不完全アジュバント（ＩＦＡ）と混合したエマルジョンを投与する方法で、ヤギへ免疫感作（皮下免疫）を２週間隔で４回免疫を行った。その後、ＥＬＩＳＡ測定を行って抗体価の上昇を確認した後に全採血を行い、遠心分離により抗血清を得た。その後、Protein Aカラム（Ｔｈｅｒｍｏ  ｓｃｉｅｎｔｉｆｉｃ社製Ｐｉｅｒｃｅ  ＰｒｏｔｅｉｎＡ  Ｃｏｌｕｍｎｓ、カタログ番号２０３５６）により精製し、目的の抗マウス抗体を取得した。【０１９３】
＜７−３＞プロゲステロン−ＢＳＡ結合体固定基板の作製
ポリメチルメタクリレート（ＰＭＭＡ）の基体（三菱レイヨン（株）社製、アクリペットＶＨ）を準備し、マグネトロンスパッタ法により、検出領域と参照領域の２箇所に、それぞれ厚さ４５ｎｍの金膜を片面に幅４ｍｍ、長さ３ｍｍとなるように作製して基板を構成するためのチップを作製した。このチップの検出領域の金膜面上に、＜７−１＞で調製したプロゲステロン−ＢＳＡ結合体のクエン酸緩衝液による溶液を点着して乾燥させ、プロゲステロン−ＢＳＡ結合体を固定化した基板を作製した。また、それぞれの基板の参照領域には、＜７−２＞で作製した抗マウス抗体を含む液（濃度：５０μｇ／ｍＬ  ｉｎ  ５０ｍｍｏｌ／Ｌ  ＭＥＳ緩衝液  ｐＨ６，１５０ｍｍｏｌ／Ｌ  ＮａＣｌ）を点着して、乾燥させた。【０１９４】
＜８＞基板の洗浄およびブロッキング
このように調製した基板をセンサチップの流路に取り付ける前に、予め調製した洗浄用溶液（０．０５質量％Ｔｗｅｅｎ（登録商標）２０（ポリオキシエチレン（２０）ソルビタンモノラウラート、和光純薬社製）を含むＰＢＳ溶液（ｐＨ７．４））を３００μＬ用いて３回繰り返し洗浄した。洗浄終了後、金薄膜上の抗体の未吸着部分のブロッキングを行うため、１質量％カゼイン（Thermo  Scientific社製）を含むＰＢＳ溶液（ｐＨ７．４）を３００μＬ添加し、１時間、室温で静置した。上記の洗浄用溶液で洗浄後、安定化剤としてImmunoassay  Stabilizer（ＡＢＩ社製）３００μＬを添加し、室温で３０分間放置し、溶液を除去して乾燥機を用いて水分を完全に取り除いた。【０１９５】
＜９＞センサチップの作製  
特開２０１０−１９０８８０号公報の第２の実施形態の構成となるように、作製した基板を流路に封入し、流路型センサチップを作製した。その概略図を図１および図２に示した。図１は、センサチップ１の概略図であり、図２は、センサチップ１の分解図である。センサチップ１は、上部部材２、中間部材３および基板４から構成されている。上部部材２には、第一の容器５および第二の容器６が設けられている。なお、第一の容器５および第二の容器６を併せて、容器群７と称する。基板４には、流路１０が形成されており、流路１０の上には、検出領域８および参照領域９が形成されている。【０１９６】
＜１０＞被検試料の準備
検量線評価用に、各種濃度（０．００ｎｇ／ｍＬ、０．５ｎｇ／ｍＬ、２．０ｎｇ／ｍＬ、１５．０ｎｇ／ｍＬ、３０．０ｎｇ／ｍＬ、４５．０ｎｇ／ｍＬ）のプロゲステロンを含む試料を用意した。
また、性能評価用に、イヌ血清として北山ラベスから購入した東洋ビーグル犬の血清を使用し、被検試料（検体）Ｎｏ. １〜１１を用意した。【０１９７】
＜１１＞蛍光粒子を用いたプロゲステロンの免疫測定  
＜６＞で調製した、カップ内の乾燥粒子を、２５℃５０％ＲＨ（相対湿度）の環境下で１５日間保存した後、このカップ内に、＜１０＞で準備した各種濃度のプロゲステロンを含む試料、及び被検試料（検体）それぞれ１００μＬと、塩化マグネシウム４４μｍｏｌを充分に混合して調製した混合試料を点着し、１０分間攪拌しながら混合して混合液を得た。次に、＜９＞で作製した、基板を封入した流路型センサチップに、得られた混合液を点着した。点着後、ポンプ吸引を行いながら混合液１を１０μＬ／ｍｉｎの速度で流下させた。プロゲステロン−ＢＳＡ結合体を固定した金薄膜面上の蛍光強度を１．５分間継続して測定した。得られた蛍光強度の単位時間における増加速度を蛍光シグナル値として求めた。【０１９８】
＜１２＞検量線の作成
文献「Ｔｈｅ  Ｉｍｍｕｎｏａｓｓａｙ  Ｈａｎｄｂｏｏｋ  Ｔｈｉｒｄ  Ｅｄｉｔｉｏｎ  Ｅｄｉｔｅｄ  ｂｙ  Ｄａｖｉｄ  Ｗｉｌｄ（２００５）」に競合法の検量線として、シグモイド関数の４パラメータロジスティック曲線モデルが適用できることが記載されており、この方法に従って、近似線を得る方法として一般的に知られている最小二乗法を用いて、下記の表３に記載された比較例、及び実施例ごとに、＜１１＞で測定したプロゲステロンを含む試料の各種濃度（０．００ｎｇ／ｍＬ、０．５ｎｇ／ｍＬ、２．０ｎｇ／ｍＬ、１５．０ｎｇ／ｍＬ、３０．０ｎｇ／ｍＬ、４５．０ｎｇ／ｍＬ）における蛍光シグナル値の各点の最近傍を通る４パラメータロジスティック曲線を求め、検量線とした。【０１９９】
以上のようにして求めた検量線から、被検試料（検体）Ｎｏ．１〜１１の各々のプロゲステロン濃度の測定値を算出した。【０２００】
性能は検量線の規格を満たすかどうかで判定した。検量線は２箇所で規格を決定した。一つ目はプロゲステロンの低濃度域の検量線の傾きであり、逆数を取って、１．４以内であることを規格とした。二つ目はプロゲステロンの高濃度域の測定点の検量線からの乖離（ズレ）であり、２％以内を規格とした。これらの規格の範囲内では、測定値の変動係数が１０％以内を実現でき、且つ、正確度が１０％以内であることが実現できるので、低濃度域から高濃度域の全領域にわたって非常に精度の高い測定が可能となる。【０２０１】
規格として決定した低濃度域のプロゲステロンの濃度は、臨床的に意義のあるプロゲステロンの最小濃度である０．５ｎｇ／ｍＬにおける検量線の傾きを求めた。また、規格として決定した高濃度域については、プロゲステロン濃度が３０．０ｎｇ／ｍＬと４５．０ｎｇ／ｍＬのそれぞれの検量線からの乖離（ズレ）を求め、平均値を算出して評価した。結果を表３にまとめた。【０２０２】
＜１３＞対照機による測定
免疫測定で、当業者により広く使用されている大型機であるシーメンス社IMMULYZE1000全自動免疫化学発光測定装置により、取り扱い説明書に従い、被検試料中の被検物質の測定を行った。測定は、＜１０＞で準備した被検試料（検体）Ｎｏ. １〜１１に対して行った。本発明は、対照機で測定した測定値を基準にし、迅速で簡便に測定が可能となる発明であり、対照機の測定値との差が小さいことが必要であり、被検試料（検体）Ｎｏ. １に対して、大型機から求めたプロゲステロン測定値と、１２．で作成した検量線から求めたプロゲステロン測定値（本発明  プロゲステロン測定値）を用いて以下の基準で評価し、結果を表３に示した。【０２０３】
大型機との乖離幅（％）の計算式
【数１】
0006936383.tif 000046
【０２０４】
＜評価基準＞
低濃度域の検量線傾きの逆数は、１．４以内の場合の判定をＡとし、１．５より大きい場合の判定をＢとし、Ａの判定を許容範囲とした。
高濃度域での検量線からのズレは、１．５％未満の場合の判定をＡ、１．５％以上２％以下の場合の判定をＢ、２％より大きい場合の判定をＣとし、Ａ及びＢの判定を許容範囲とした。
大型機との乖離幅（％）は、２．０％未満の判定をＡ、２．０％以上５．０％未満の判定をＢ、５．０％以上の判定をＣとし、Ａ及びＢの判定を許容範囲とした。【０２０５】
＜１４＞粒子蛍光強度（相対値）の測定
上記で固形分濃度２質量％の蛍光ラテックス分散液を超純水で２００倍に希釈し、蛍光分光光度計ＲＦ−５３００ＰＣ(島津製作所製)の励起光を６５８ｎｍに設定し、測定を行った。蛍光ラテックス分散液の蛍光強度が測定範囲を超えるほど高い場合には、蛍光強度の極大値が測定可能な範囲まで超純水で希釈を行った。＜６＞で作製した蛍光ラテックス分散液の発光スペクトルの蛍光強度の積分値に対する、蛍光ラテックス分散液の発光スペクトルの蛍光強度の積分値を粒子蛍光強度（相対値）とした。算出に用いた計算式を以下に示す。
蛍光強度（相対値）＝（蛍光ラテックス分散液の発光スペクトルの蛍光強度の積分値）／（＜６＞で作製した蛍光ラテックス分散液の発光スペクトルの蛍光強度の積分値）【０２０６】
結果を表３に示す。【０２０７】
【表３】
0006936383.tif 000047
0006936383.tif 000048
0006936383.tif 000049
0006936383.tif 000050
0006936383.tif 000051
【０２０８】
表３の結果から、本発明の高輝度粒子、および無標識粒子を使用することで、測定範囲全般で高精度に測定できることがわかり、本発明の効果が確認された。
【符号の説明】
【０２０９】
１  センサチップ
２  上部部材
３  中間部材
４  基板
５  第一の容器
６  第二の容器
７  容器群
８  検出領域
９  参照領域
１０  流路
【図１】
0006936383.tif 000061
【図２】
0006936383.tif 000062